(57)【要約】      （修正有）【課題】受信装置が送信装置から伝送された信号を正確に復調するための参照信号を適切に構成する。【解決手段】無線通信システムにおいて基地局がユーザー機器に複数の参照信号（ＲＳ）を伝送する方法であって、複数のＲＳを拡散直交シーケンスを用いて拡散する段階と、複数のＲＳを２個のコード分割多重化グループである第１ＣＤＭグループと第２ＣＤＭグループのうちの少なくとも一つを通じて伝送する段階と、を含み、複数のＲＳのうち、第１ＣＤＭグループで定義された拡散直交シーケンスのうちのいずれか一つによって拡散されて、第１ＣＤＭグループに属する一副搬送波を通じて伝送され、複数のＲＳのうち、前記第２ＣＤＭグループで定義された拡散直交シーケンスのうちのいずれか一つによって拡散されて、第２ＣＤＭグループに属する一副搬送波を通じて伝送される。【選択図】図３１
2011193467.tif 000002
【特許請求の範囲】
【請求項１】
無線通信システムにおいて基地局がユーザー機器に複数の参照信号（ＲＳ）を伝送する方法であって、
前記複数のＲＳを拡散直交シーケンスを用いて拡散する段階と、
前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送する段階と、を含み、
前記複数のＲＳのうち、前記第１ＣＤＭグループで伝送されるＲＳは、次の表
【化１１】
2011193467.tif 000048
のように定義された拡散直交シーケンスのうちのいずれか一つによって拡散されて、前記第１ＣＤＭグループに属する一副搬送波を通じて伝送され、
前記複数のＲＳのうち、前記第２ＣＤＭグループで伝送されるＲＳは、次の表
【化１２】
2011193467.tif 000049
のように定義された拡散直交シーケンスのうちのいずれか一つによって拡散されて、前記第２ＣＤＭグループに属する一副搬送波を通じて伝送される、参照信号伝送方法。
【請求項２】
前記複数のＲＳは、次の表
【化１３】
2011193467.tif 000050
によって拡散されて、前記第１ＣＤＭグループ及び前記第２ＣＤＭグループのうちの少なくとも一つを通じて伝送され、
ここで、ＲＳ０〜ＲＳ７は、レイヤー０〜レイヤー７に一対一に対応する、請求項１に記載の参照信号伝送方法。
【請求項３】
前記複数のＲＳは、
【化１４】
2011193467.tif 000051
のように定義された多重化直交シーケンスａ、ｂ、ｃ及びｄによって、前記第１ＣＤＭグループ及び前記第２ＣＤＭグループのうちの少なくとも一つで多重化されて伝送され、
ＲＳ０、ＲＳ１、ＲＳ４及びＲＳ６は、
【化１５】
2011193467.tif 000052
を用いて前記第１ＣＤＭグループに多重化され、
ＲＳ２、ＲＳ３、ＲＳ５及びＲＳ７は、
【化１６】
2011193467.tif 000053
を用いて前記第２ＣＤＭグループに多重化される、請求項１または２に記載の参照信号伝送方法。
【請求項４】
前記複数のＲＳは、（ａ，ｃ）または（ｂ，ｄ）の多重化直交シーケンス対のうちの一つによって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に多重化される、請求項３に記載の参照信号伝送方法。
【請求項５】
無線通信システムにおいてユーザー機器が基地局から複数の参照信号（ＲＳ）を受信する方法であって、
前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信する段階と、
前記複数のＲＳから、前記ユーザー機器のための第１ＲＳを、前記ユーザー機器のＲＳの拡散に用いられた第１拡散直交シーケンスを用いて検出する段階と、を含み、
前記第１拡散直交シーケンスは、前記第１ＲＳが前記第１ＣＤＭグループを通じて受信される場合、次の表
【化１７】
2011193467.tif 000054
のように定義された拡散直交シーケンスのうちのいずれか一つであり、
前記第１ＲＳが前記第２ＣＤＭグループを通じて受信される場合、次の表
【化１８】
2011193467.tif 000055
のように定義された拡散直交シーケンスのうちのいずれか一つである、参照信号受信方法。
【請求項６】
前記ユーザー機器は、前記第１ＣＤＭグループ及び前記第２ＣＤＭグループのうちの少なくとも一つを通じて受信した前記複数のＲＳを、次の表
【化１９】
2011193467.tif 000056
によって検出し、
ここで、ＲＳ０〜ＲＳ７は、レイヤー０〜レイヤー７に一対一に対応する、請求項５に記載の参照信号受信方法。
【請求項７】
前記複数のＲＳは、
【化２０】
2011193467.tif 000057
のように定義された多重化直交シーケンスａ、ｂ、ｃ及びｄによって、前記第１ＣＤＭグループ及び前記第２ＣＤＭグループのうちの少なくとも一つで多重化されたまま前記ユーザー機器に受信され、
ＲＳ０、ＲＳ１、ＲＳ４及びＲＳ６は、
【化２１】
2011193467.tif 000058
を用いて前記第１ＣＤＭグループに多重化されており、
ＲＳ２、ＲＳ３、ＲＳ５及びＲＳ７は、
【化２２】
2011193467.tif 000059
を用いて前記第２ＣＤＭグループに多重化されている、請求項５または６に記載の参照信号受信方法。
【請求項８】
前記複数のＲＳは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に（ａ，ｃ）または（ｂ，ｄ）の多重化直交シーケンス対のうちの一つで多重化されている、請求項７に記載の参照信号受信方法。
【請求項９】
無線通信システムにおいてユーザー機器に複数の参照信号（ＲＳ）を伝送する基地局であって、
送信器と、
前記送信器を制御するように構成されたプロセッサーと、を含み、
前記プロセッサーは、前記複数のＲＳを拡散直交シーケンスを用いて拡散し、前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送するように、前記送信器を制御し、
前記プロセッサーは、前記複数のＲＳのうち、前記第１ＣＤＭグループで伝送されるＲＳは、次の表
【化２３】
2011193467.tif 000060
のように定義された拡散直交シーケンスのうちのいずれか一つによって拡散して、前記第１ＣＤＭグループに属する一副搬送波を通じて伝送するように前記送信器を制御し、
前記複数のＲＳのうち、前記第２ＣＤＭグループで伝送されるＲＳは、次の表
【化２４】
2011193467.tif 000061
のように定義された拡散直交シーケンスのうちのいずれか一つによって拡散して、前記第２ＣＤＭグループに属する一副搬送波を通じて伝送するように前記送信器を制御する、基地局。
【請求項１０】
前記プロセッサーは、前記複数のＲＳを、次の表
【化２５】
2011193467.tif 000062
によって拡散して、前記第１ＣＤＭグループ及び前記第２ＣＤＭグループのうちの少なくとも一つを通じて伝送するように前記送信器を制御し、ここで、ＲＳ０〜ＲＳ７は、レイヤー０〜レイヤー７に一対一に対応する、請求項９に記載の基地局。
【請求項１１】
前記プロセッサーは、
【化２６】
2011193467.tif 000063
のように定義された多重化直交シーケンスａ、ｂ、ｃ及びｄを用いて、前記複数のＲＳを前記第１ＣＤＭグループ及び前記第２ＣＤＭグループのうちの少なくとも一つに多重化して伝送するように前記送信器を制御し、
ＲＳ０、ＲＳ１、ＲＳ４及びＲＳ６は、
【化２７】
2011193467.tif 000064
によって前記第１ＣＤＭグループに多重化し、
ＲＳ２、ＲＳ３、ＲＳ５及びＲＳ７は、
【化２８】
2011193467.tif 000065
によって前記第２ＣＤＭグループに多重化するように前記送信器を制御する、請求項９または１０に記載の基地局。
【請求項１２】
前記プロセッサーは、前記複数のＲＳが（ａ，ｃ）または（ｂ，ｄ）の多重化直交シーケンス対のうちの一つによって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に多重化されるように、前記送信器を制御する、請求項１１に記載の基地局。
【請求項１３】
無線通信システムにおいて基地局から複数の参照信号（ＲＳ）を受信するユーザー機器であって、
受信器と、
前記受信器を制御するように構成されたプロセッサーと、を含み、
前記受信器は、前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信するように構成され、
前記プロセッサーは、前記複数のＲＳから、前記ユーザー機器のための第１ＲＳを、前記ユーザー機器のＲＳの拡散に用いられた第１拡散直交シーケンスを用いて検出するように前記受信器を制御し、
前記第１拡散直交シーケンスは、前記第１ＲＳが前記第１ＣＤＭグループを通じて受信される場合、次の表
【化２９】
2011193467.tif 000066
のように定義された拡散直交シーケンスのうちのいずれか一つであり、
前記第１ＲＳが前記第２ＣＤＭグループを通じて受信される場合、次の表
【化３０】
2011193467.tif 000067
のように定義された拡散直交シーケンスのうちのいずれか一つである、ユーザー機器。
【請求項１４】
前記プロセッサーは、前記第１ＣＤＭグループ及び前記第２ＣＤＭグループのうちの少なくとも一つを通じて受信した前記複数のＲＳを、次の表
【化３１】
2011193467.tif 000068
に従って検出するように前記受信器を制御し、ここで、ＲＳ０〜ＲＳ７は、レイヤー０〜レイヤー７に一対一に対応する、請求項１３に記載のユーザー機器。
【請求項１５】
前記複数のＲＳは、
【化３２】
2011193467.tif 000069
のように定義された多重化直交シーケンスａ、ｂ、ｃ及びｄによって、前記第１ＣＤＭグループ及び前記第２ＣＤＭグループのうちの少なくとも一つで多重化されたまま前記受信器に受信され、
ＲＳ０、ＲＳ１、ＲＳ４及びＲＳ６は、
【化３３】
2011193467.tif 000070
を用いて前記第１ＣＤＭグループに多重化されており、
ＲＳ２、ＲＳ３、ＲＳ５及びＲＳ７は、
【化３４】
2011193467.tif 000071
を用いて前記第２ＣＤＭグループに多重化されている、請求項１３または１４に記載のユーザー機器。
【請求項１６】
前記複数のＲＳは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に（ａ，ｃ）または（ｂ，ｄ）の多重化直交シーケンス対のうちの一つで多重化されたまま前記受信器に受信される、請求項１５に記載のユーザー機器。
【発明の詳細な説明】
【技術分野】
【０００１】
本発明は、無線通信システムに係り、特に、データ復調のための参照信号を伝送する方法及び装置、並びにデータ復調のための参照信号を受信する方法及び装置に関するものである。
【背景技術】
【０００２】
近年、無線通信システムの性能と通信容量を極大化するという側面から多重入出力（Ｍｕｌｔｉｐｌｅ  Ｉｎｐｕｔ  Ｍｕｌｔｉｐｌｅ  Ｏｕｔｐｕｔ：ＭＩＭＯ）システムが注目を受けている。ＭＩＭＯ技術は、一つの送信アンテナと一つの受信アンテナを使用する方法から脱皮し、多重送信アンテナ及び多重受信アンテナを採択することで送受信データの伝送効率の向上を図る方法である。このＭＩＭＯシステムは多重アンテナ（ｍｕｌｔｉｐｌｅ  ａｎｔｅｎｎａ）システムとも呼ばれる。ＭＩＭＯ技術は、一つの全体メッセージを受信する上で、単一のアンテナ経路に依存せずに、多数のアンテナから受信されるデータ断片をまとめて全体メッセージを完成する技術を応用したものである。その結果、特定の範囲でデータ伝送速度を向上させたり、特定のデータ伝送速度に対してシステム範囲を増加させたりすることができる。
【０００３】
ＭＩＭＯ技術には、送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）及びビーム形成（ｂｅａｍｆｏｒｍｉｎｇ）などがある。送信ダイバーシティは、多重送信アンテナから同一のデータを伝送することで伝送信頼度を高める技術である。空間多重化は、多重送信アンテナから互いに異なるデータを同時に伝送することで、システムの帯域幅を増加させることなく高速のデータ伝送を可能にする技術である。ビーム形成は、多重アンテナでチャネル状態に応じた重みを加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために用いられる。ここで、重みは、重みベクトル（ｗｅｉｇｈｔ  ｖｅｃｔｏｒ）または重み行列（ｗｅｉｇｈｔ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）と称する。
【０００４】
空間多重化は、単一ユーザーに対する空間多重化と多重ユーザーに対する空間多重化とがある。空間多重化は、単一ユーザーＭＩＭＯ（Ｓｉｎｇｌｅ  Ｕｓｅｒ  ＭＩＭＯ）とも呼ばれ、多重ユーザーに対する空間多重化はＳＤＭＡ（Ｓｐａｔｉａｌ  Ｄｉｖｉｓｉｏｎ  Ｍｕｌｔｉｐｌｅ  Ａｃｃｅｓｓ）あるいは多重ユーザーＭＩＭＯ（Ｍｕｌｔｉ  Ｕｓｅｒ  ＭＩＭＯ）と呼ばれる。
【０００５】
一方、基地局は、１またはそれ以上のユーザーのために多数のレイヤー（ｌａｙｅｒ）を共に伝送することができる。基地局は、多数のレイヤーを共に伝送するために、所定の周波数／時間領域に多重化し、この所定の周波数／時間領域で多数のレイヤーを一つ以上のユーザー機器に共に伝送する。一般に、基地局がダウンリンク伝送に利用可能な最大伝送電力は、当該基地局により支援される周波数帯域幅、基地局のデータ処理量（ｔｈｒｏｕｇｈｐｕｔ）、基地局の電力効率などにより決定される。基地局の使用可能な総伝送電力が所定値に制限されているので、基地局は、１  ＯＦＤＭシンボル区間で副搬送波当たりの伝送電力を效率的に割り当てることが要求される。
【０００６】
ユーザー機器は、所定の時間／周波数領域に割り当てられたデータを復調（ｄｅｍｏｄｕｌａｔｅ）するために、基地局から伝送された参照信号（ｒｅｆｅｒｅｎｃｅ  ｓｉｇｎａｌ：ＲＳ）を用いて、該データの伝送に用いられた物理アンテナの構成及びチャネル品質などを推定するチャネル推定（ｃｈａｎｎｅｌ  ｅｓｔｉｍａｔｅ）を行う。チャネル推定方法及び参照信号について簡略に説明すると、次の通りである。同期信号を検出するために受信器は無線チャネルの情報（減殺、位相偏移または時間遅延など）を知っていなければならない。ここで、チャネル推定は、搬送波の大きさ及び基準位相を推定することを指す。無線チャネル環境は、時間及び周波数領域上でチャネル状態が時間的に変動するフェーディング特性を有する。このようなチャネルに対して振幅及び位相を推定することを、チャネル推定という。すなわち、チャネル推定は、無線区間または無線チャネルの周波数応答を推定することである。チャネル推定方法には、２次元チャネル推定器を用いていくつかの基地局の参照信号に基づいて基準値を推定する方法がある。ここで、参照信号とは、搬送波位相同期化及び基地局情報獲得などに役立つように、実際のデータは有しないが、高い出力を有するシンボルのことをいう。送信装置及び受信装置は、このような参照信号を用いてチャネル推定を行うことができる。参照信号によるチャネル推定結果に基づいて受信装置は送信装置から受信したデータを復元することができる。
【発明の概要】
【発明が解決しようとする課題】
【０００７】
受信装置が送信装置から伝送された信号を正確に復調するためには、当該信号の復調のための参照信号が適切に構成されることが要求される。
【０００８】
また、受信装置が高正確度で参照信号を受信できるようにするためには、基地局の使用可能な総伝送電力内で復調用の参照信号の伝送電力を適切に配分できるように参照信号が構成されることが要求される。
【０００９】
また、基地局が使用可能な電力を效率的に使用するためには、ＯＦＤＭシンボル間に電力が均一に分布することが要求される。
【００１０】
本発明が達成しようとする技術的課題は、以上で言及した技術的課題に制限されず、言及していない別の技術的課題は、以下の発明の詳細な説明から、本発明の属する技術の分野における通常の知識を有する者にとっては明らかになるであろう。
【課題を解決するための手段】
【００１１】
上記の技術的課題を解決するための本発明の様相は、下記の通りである。
【００１２】
本発明の一実施例において、参照信号の多重化に用いられる直交シーケンスは、一ＣＤＭグループの副搬送波に割り当てられた直交シーケンスの順序が、前記副搬送波に隣接する他のＣＤＭグループの副搬送波に割り当てられた直交シーケンスの順序と所定のオフセットを持つように、割り当てる。
【００１３】
本発明の他の実施例において、レイヤー別参照信号は、レイヤー別に位相オフセットが適用された後に所定の無線リソースに多重化される。
【００１４】
本発明の一様相として、無線通信システムにおいて基地局がユーザー機器に複数の参照信号（ＲＳ）を伝送する方法において、前記複数のＲＳを拡散直交シーケンスを用いて拡散する段階と、前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送する段階と、を含み、前記複数のＲＳのうち、前記第１ＣＤＭグループで伝送されるＲＳは、第１表のように定義された拡散直交シーケンスのうちのいずれか一つによって拡散されて、前記第１ＣＤＭグループに属する一副搬送波を通じて伝送され、前記複数のＲＳのうち、前記第２ＣＤＭグループで伝送されるＲＳは、第２表のように定義された拡散直交シーケンスのうちのいずれか一つによって拡散されて、前記第２ＣＤＭグループに属する一副搬送波を通じて伝送される、参照信号伝送方法が提供される。
【００１５】
本発明の他の様相として、無線通信システムにおいてユーザー機器が基地局から複数の参照信号（ＲＳ）を受信する方法において、前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信する段階と、前記複数のＲＳから、前記ユーザー機器のための第１ＲＳを前記ユーザー機器のＲＳの拡散に用いられた第１拡散直交シーケンスを用いて検出する段階と、を含み、前記第１拡散直交シーケンスは、前記第１ＲＳが前記第１ＣＤＭグループを通じて受信される場合、第１表のように定義された拡散直交シーケンスのうちのいずれか一つであり、前記第１ＲＳが前記第２ＣＤＭグループを通じて受信される場合、第２表のように定義された拡散直交シーケンスのうちのいずれか一つである、参照信号受信方法が提供される。
【００１６】
本発明のさらに他の様相として、無線通信システムにおいてユーザー機器に複数の参照信号（ＲＳ）を伝送する基地局であって、送信器と、前記送信器を制御するように構成されたプロセッサーと、を含み、前記プロセッサーは、前記複数のＲＳを拡散直交シーケンスを用いて拡散し、前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送するように、前記送信器を制御するが、この場合、前記プロセッサーは、前記複数のＲＳのうち、前記第１ＣＤＭグループで伝送されるＲＳは、第２表のように定義された拡散直交シーケンスのうちのいずれか一つによって拡散して、前記第１ＣＤＭグループに属する一副搬送波を通じて伝送するように前記送信器を制御し、前記複数のＲＳのうち、前記第２ＣＤＭグループで伝送されるＲＳは、第２表のように定義された拡散直交シーケンスのうちのいずれか一つによって拡散して、前記第２ＣＤＭグループに属する一副搬送波を通じて伝送するように前記送信器を制御する、基地局が提供される。
【００１７】
本発明のさらに他の様相として、無線通信システムにおいて基地局から複数の参照信号（ＲＳ）を受信するユーザー機器であって、受信器と、前記受信器を制御するように構成されたプロセッサーと、を含み、前記受信器は、前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信するように構成され、前記プロセッサーは、前記複数のＲＳから、前記ユーザー機器のための第１ＲＳを前記ユーザー機器のＲＳの拡散に用いられた第１拡散直交シーケンスを用いて検出するように前記受信器を制御し、ここで、前記第１拡散直交シーケンスは、前記第１ＲＳが前記第１ＣＤＭグループを通じて受信される場合、第１表のように定義された拡散直交シーケンスのうちのいずれか一つであり、前記第１ＲＳが前記第２ＣＤＭグループを通じて受信される場合、第２表のように定義された拡散直交シーケンスのうちのいずれか一つである、ユーザー機器が提供される。
【００１８】
本発明の各様相において、前記第１表は、
【００１９】
【化１】
2011193467.tif 000003
であり、前記第２表は、
【００２０】
【化２】
2011193467.tif 000004
である。
【００２１】
本発明の各様相において、前記複数のＲＳは、第３表にように前記基地局により拡散されて、前記第１ＣＤＭグループ及び前記第２ＣＤＭグループのうちの少なくとも一つを通じて前記ユーザー機器に伝送されることができる。前記第３表は、
【００２２】
【化３】
2011193467.tif 000005
であり、ここで、ＲＳ  ０〜ＲＳ  ７は、レイヤー０〜レイヤー７に一対一に対応することができる。
【００２３】
本発明の各様相において、前記複数のＲＳは、下記のように定義された多重化直交シーケンスａ、ｂ、ｃ及びｄにより
【００２４】
【化４】
2011193467.tif 000006
前記第１ＣＤＭグループ及び前記第２ＣＤＭグループのうちの少なくとも一つで多重化されて伝送されることができる。ＲＳ０、ＲＳ１、ＲＳ４及びＲＳ６は、次の式
【００２５】
【化５】
2011193467.tif 000007
を用いて前記第１ＣＤＭグループに多重化され、ＲＳ２、ＲＳ３、ＲＳ５及びＲＳ７は、次の式
【００２６】
【化６】
2011193467.tif 000008
を用いて前記第２ＣＤＭグループに多重化されることができる。
【００２７】
本発明の各様相において、前記複数のＲＳは、（ａ，ｃ）または（ｂ，ｄ）の多重化直交シーケンス対のうちの一つによって、前記第１ＣＤＭグループ及び前記第２ＣＤＭグループにそれぞれ属する隣接する２個の副搬送波に多重化されることができる。
【００２８】
本発明の各様相において、レイヤーｐに対する復調用参照信号ＲＳ  ｐであるｒ（ｍ）は、次の式によって前記第１ＣＤＭグループまたは前記第２ＣＤＭグループに割り当てられることができる：
【００２９】
【化７】
2011193467.tif 000009
ここで、ｎＰＲＢは物理リソースブロックインデックスであり、ＮＲＢｓｃは、ＲＢを構成する副搬送波の個数であり、Ｎｍａｘ，ＤＬＲＢは、ダウンリンクスロットに含まれたＲＢの最大個数を表し、ｐは、レイヤーインデックスであり、ｋ及びｌは、一サブフレーム内の副搬送波インデックス及びＯＦＤＭシンボルインデックスであり、ｍ’は、一リソースブロック（ＲＢ）でＲＳを含むＲＳ副搬送波のカウンター（ｃｏｕｎｔｅｒ）であり、ｌ’は、前記一サブフレームでＲＳを含むＲＳ  ＯＦＤＭシンボルのカウンタである。
【００３０】
本発明の各様相において、前記複数のＲＳは、次のようなパターンで前記基地局により一サブフレームに多重化されて、前記ユーザー機器に伝送されることができる：
【００３１】
【化８】
2011193467.tif 000010
上記の課題解決手段は、本発明の一部の実施例に過ぎず、当該技術の分野における通常の知識を有する者には、本願発明の技術的特徴が反映された様々な実施例が、下記の本発明の詳細な説明に基づいて導出され、理解されることができる。
【００３２】
本願発明は、以下の項目を含む。
（項目１）
無線通信システムにおいて基地局がユーザー機器に複数の参照信号（ＲＳ）を伝送する方法であって、
前記複数のＲＳを拡散直交シーケンスを用いて拡散する段階と、
前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送する段階と、を含み、
前記複数のＲＳのうち、前記第１ＣＤＭグループで伝送されるＲＳは、次の表
【００３３】
【化１１】
2011193467.tif 000011
のように定義された拡散直交シーケンスのうちのいずれか一つによって拡散されて、前記第１ＣＤＭグループに属する一副搬送波を通じて伝送され、
前記複数のＲＳのうち、前記第２ＣＤＭグループで伝送されるＲＳは、次の表
【００３４】
【化１２】
2011193467.tif 000012
のように定義された拡散直交シーケンスのうちのいずれか一つによって拡散されて、前記第２ＣＤＭグループに属する一副搬送波を通じて伝送される、参照信号伝送方法。
（項目２）
前記複数のＲＳは、次の表
【００３５】
【化１３】
2011193467.tif 000013
によって拡散されて、前記第１ＣＤＭグループ及び前記第２ＣＤＭグループのうちの少なくとも一つを通じて伝送され、
ここで、ＲＳ０〜ＲＳ７は、レイヤー０〜レイヤー７に一対一に対応する、上記項目に記載の参照信号伝送方法。
（項目３）
前記複数のＲＳは、
【００３６】
【化１４】
2011193467.tif 000014
のように定義された多重化直交シーケンスａ、ｂ、ｃ及びｄによって、前記第１ＣＤＭグループ及び前記第２ＣＤＭグループのうちの少なくとも一つで多重化されて伝送され、
ＲＳ０、ＲＳ１、ＲＳ４及びＲＳ６は、
【００３７】
【化１５】
2011193467.tif 000015
を用いて前記第１ＣＤＭグループに多重化され、
ＲＳ２、ＲＳ３、ＲＳ５及びＲＳ７は、
【００３８】
【化１６】
2011193467.tif 000016
を用いて前記第２ＣＤＭグループに多重化される、上記項目のいずれかに記載の参照信号伝送方法。
（項目４）
前記複数のＲＳは、（ａ，ｃ）または（ｂ，ｄ）の多重化直交シーケンス対のうちの一つによって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に多重化される、上記項目のいずれかに記載の参照信号伝送方法。
（項目５）
無線通信システムにおいてユーザー機器が基地局から複数の参照信号（ＲＳ）を受信する方法であって、
前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信する段階と、
前記複数のＲＳから、前記ユーザー機器のための第１ＲＳを、前記ユーザー機器のＲＳの拡散に用いられた第１拡散直交シーケンスを用いて検出する段階と、を含み、
前記第１拡散直交シーケンスは、前記第１ＲＳが前記第１ＣＤＭグループを通じて受信される場合、次の表
【００３９】
【化１７】
2011193467.tif 000017
のように定義された拡散直交シーケンスのうちのいずれか一つであり、
前記第１ＲＳが前記第２ＣＤＭグループを通じて受信される場合、次の表
【００４０】
【化１８】
2011193467.tif 000018
のように定義された拡散直交シーケンスのうちのいずれか一つである、参照信号受信方法。
（項目６）
前記ユーザー機器は、前記第１ＣＤＭグループ及び前記第２ＣＤＭグループのうちの少なくとも一つを通じて受信した前記複数のＲＳを、次の表
【００４１】
【化１９】
2011193467.tif 000019
によって検出し、
ここで、ＲＳ０〜ＲＳ７は、レイヤー０〜レイヤー７に一対一に対応する、上記項目のいずれかに記載の参照信号受信方法。
（項目７）
前記複数のＲＳは、
【００４２】
【化２０】
2011193467.tif 000020
のように定義された多重化直交シーケンスａ、ｂ、ｃ及びｄによって、前記第１ＣＤＭグループ及び前記第２ＣＤＭグループのうちの少なくとも一つで多重化されたまま前記ユーザー機器に受信され、
ＲＳ０、ＲＳ１、ＲＳ４及びＲＳ６は、
【００４３】
【化２１】
2011193467.tif 000021
を用いて前記第１ＣＤＭグループに多重化されており、
ＲＳ２、ＲＳ３、ＲＳ５及びＲＳ７は、
【００４４】
【化２２】
2011193467.tif 000022
を用いて前記第２ＣＤＭグループに多重化されている、項目５または６に記載の参照信号受信方法。
（項目８）
前記複数のＲＳは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に（ａ，ｃ）または（ｂ，ｄ）の多重化直交シーケンス対のうちの一つで多重化されている、上記項目のいずれかに記載の参照信号受信方法。
（項目９）
無線通信システムにおいてユーザー機器に複数の参照信号（ＲＳ）を伝送する基地局であって、
送信器と、
前記送信器を制御するように構成されたプロセッサーと、を含み、
前記プロセッサーは、前記複数のＲＳを拡散直交シーケンスを用いて拡散し、前記複数のＲＳを２個のコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて伝送するように、前記送信器を制御し、
前記プロセッサーは、前記複数のＲＳのうち、前記第１ＣＤＭグループで伝送されるＲＳは、次の表
【００４５】
【化２３】
2011193467.tif 000023
のように定義された拡散直交シーケンスのうちのいずれか一つによって拡散して、前記第１ＣＤＭグループに属する一副搬送波を通じて伝送するように前記送信器を制御し、
前記複数のＲＳのうち、前記第２ＣＤＭグループで伝送されるＲＳは、次の表
【００４６】
【化２４】
2011193467.tif 000024
のように定義された拡散直交シーケンスのうちのいずれか一つによって拡散して、前記第２ＣＤＭグループに属する一副搬送波を通じて伝送するように前記送信器を制御する、基地局。
（項目１０）
前記プロセッサーは、前記複数のＲＳを、次の表
【００４７】
【化２５】
2011193467.tif 000025
によって拡散して、前記第１ＣＤＭグループ及び前記第２ＣＤＭグループのうちの少なくとも一つを通じて伝送するように前記送信器を制御し、ここで、ＲＳ０〜ＲＳ７は、レイヤー０〜レイヤー７に一対一に対応する、上記項目のいずれかに記載の基地局。
（項目１１）
前記プロセッサーは、
【００４８】
【化２６】
2011193467.tif 000026
のように定義された多重化直交シーケンスａ、ｂ、ｃ及びｄを用いて、前記複数のＲＳを前記第１ＣＤＭグループ及び前記第２ＣＤＭグループのうちの少なくとも一つに多重化して伝送するように前記送信器を制御し、
ＲＳ０、ＲＳ１、ＲＳ４及びＲＳ６は、
【００４９】
【化２７】
2011193467.tif 000027
によって前記第１ＣＤＭグループに多重化し、
ＲＳ２、ＲＳ３、ＲＳ５及びＲＳ７は、
【００５０】
【化２８】
2011193467.tif 000028
によって前記第２ＣＤＭグループに多重化するように前記送信器を制御する、上記項目のいずれかに記載の基地局。
（項目１２）
前記プロセッサーは、前記複数のＲＳが（ａ，ｃ）または（ｂ，ｄ）の多重化直交シーケンス対のうちの一つによって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に多重化されるように、前記送信器を制御する、上記項目のいずれかに記載の基地局。
（項目１３）
無線通信システムにおいて基地局から複数の参照信号（ＲＳ）を受信するユーザー機器であって、
受信器と、
前記受信器を制御するように構成されたプロセッサーと、を含み、
前記受信器は、前記基地局から前記複数のＲＳをコード分割多重化（Ｃｏｄｅ  Ｄｉｖｉｓｉｏｎ  Ｍｕｌｔｉｐｌｅｘｉｎｇ：ＣＤＭ）グループである第１ＣＤＭグループと第２ＣＤＭグループのうちの少なくとも一つを通じて受信するように構成され、
前記プロセッサーは、前記複数のＲＳから、前記ユーザー機器のための第１ＲＳを、前記ユーザー機器のＲＳの拡散に用いられた第１拡散直交シーケンスを用いて検出するように前記受信器を制御し、
前記第１拡散直交シーケンスは、前記第１ＲＳが前記第１ＣＤＭグループを通じて受信される場合、次の表
【００５１】
【化２９】
2011193467.tif 000029
のように定義された拡散直交シーケンスのうちのいずれか一つであり、
前記第１ＲＳが前記第２ＣＤＭグループを通じて受信される場合、次の表
【００５２】
【化３０】
2011193467.tif 000030
のように定義された拡散直交シーケンスのうちのいずれか一つである、ユーザー機器。
（項目１４）
前記プロセッサーは、前記第１ＣＤＭグループ及び前記第２ＣＤＭグループのうちの少なくとも一つを通じて受信した前記複数のＲＳを、次の表
【００５３】
【化３１】
2011193467.tif 000031
に従って検出するように前記受信器を制御し、ここで、ＲＳ０〜ＲＳ７は、レイヤー０〜レイヤー７に一対一に対応する、上記項目のいずれかに記載のユーザー機器。
（項目１５）
前記複数のＲＳは、
【００５４】
【化３２】
2011193467.tif 000032
のように定義された多重化直交シーケンスａ、ｂ、ｃ及びｄによって、前記第１ＣＤＭグループ及び前記第２ＣＤＭグループのうちの少なくとも一つで多重化されたまま前記受信器に受信され、
ＲＳ０、ＲＳ１、ＲＳ４及びＲＳ６は、
【００５５】
【化３３】
2011193467.tif 000033
を用いて前記第１ＣＤＭグループに多重化されており、
ＲＳ２、ＲＳ３、ＲＳ５及びＲＳ７は、
【００５６】
【化３４】
2011193467.tif 000034
を用いて前記第２ＣＤＭグループに多重化されている、上記項目のいずれかに記載のユーザー機器。
（項目１６）
前記複数のＲＳは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内の前記第１ＣＤＭグループ及び前記第２ＣＤＭグループの隣接する２個の副搬送波に（ａ，ｃ）または（ｂ，ｄ）の多重化直交シーケンス対のうちの一つで多重化されたまま前記受信器に受信される、上記項目のいずれかに記載のユーザー機器。
（適用）
ＯＦＤＭシンボル間の電力均衡化を図るために、参照信号を所定個数のＣＤＭグループに多重化する方法及び装置を提供する。本発明に係る無線通信システムにおいて参照信号の多重化に用いられる直交シーケンスを、一ＣＤＭグループの副搬送波に割り当てられた直交シーケンスの順序が、該副搬送波に隣接する他のＣＤＭグループの副搬送波に割り当てられた直交シーケンスの順序と所定のオフセットを持つようにして割り当てる。
【発明の効果】
【００５７】
本発明によれば、一サブフレーム内の全てのＯＦＤＭシンボルにわたって伝送電力が均一に分布することが可能になる。
【００５８】
本発明による効果は、以上に言及した効果に制限されず、言及されていない別の効果は、以下の発明の詳細な説明から、本発明の属する技術の分野における通常の知識を有する者には明らかになるであろう。
【図面の簡単な説明】
【００５９】
本発明に関する理解を助けるために詳細な説明の一部として含まれる添付図面は、本発明の実施例を提供し、詳細な説明と共に本発明の技術的思想を説明する。
【図１】本発明を行うユーザー機器（ＵＥ）及び基地局の構成要素を示すブロック図である。
【図２】ユーザー機器及び基地局内の送信器構造の一例を示す図である。
【図３】無線通信システムで用いられる無線フレーム構造の一例を示す図である。
【図４】無線通信システムにおいてＤＬ／ＵＬスロット構造の一例を示す図である。
【図５】無線通信システムにおいてダウンリンクサブフレーム構造の一例を示す図である。
【図６】ＤＲＳ伝送の概念図である。
【図７】ＬＴＥシステムで用いられるＤＲＳパターンの例を示す図である。
【図８】ＬＴＥ−Ａシステムで用いられるＤＲＳパターンの例を示す図である。
【図９】２個のレイヤーのＤＲＳが長さ２のＯＣＣを用いて、正常ＣＰを持つサブフレームに多重化されたパターンを例示する図である。
【図１０】４個のレイヤーに対するＤＲＳが２個のＣＤＭグループを通じて伝送される例を示す図である。
【図１１】４個のＤＲＳを２個のＣＤＭグループに多重化する方法を示す図である。
【図１２】一ＣＤＭグループに２個のＤＲＳが多重化される例を示す図である。
【図１３】ランク−２伝送においてＯＦＤＭシンボルにわたって伝送電力を均一に分布させる本発明の実施例を示す図である。
【図１４】ランク−２伝送においてＤＲＳ  ＲＥ及びデータＲＥに対する電力割当の例を示す図である。
【図１５】ランク−２伝送においてＤＲＳ  ＲＥ及びデータＲＥに対する電力割当の例を示す図である。
【図１６】アンテナポート１１〜１４に対応するレイヤーのためのＤＲＳが２個のＣＤＭグループに割り当てられる例を示す図である。
【図１７】８個のＤＲＳを２個のＣＤＭグループに多重化する方法を示す図である。
【図１８】１個のＣＤＭグループに長さ４のＯＣＣでＤＲＳを多重化する本発明の実施例を示す図である。
【図１９】１個のＣＤＭグループに長さ４のＯＣＣでＤＲＳを多重化する本発明の実施例を示す図である。
【図２０】１個のＣＤＭグループに長さ４のＯＣＣでＤＲＳを多重化する本発明の実施例を示す図である。
【図２１】１個のＣＤＭグループに長さ４のＯＣＣでＤＲＳを多重化する本発明の実施例を示す図である。
【図２２】１個のＣＤＭグループに長さ４のＯＣＣでＤＲＳを多重化する本発明の実施例を示す図である。
【図２３】２個のＣＤＭグループに長さ４のＯＣＣでＤＲＳを多重化する本発明の実施例を示す図である。
【図２４】２個のＣＤＭグループに長さ４のＯＣＣでＤＲＳを多重化する本発明の実施例を示す図である。
【図２５】２個のＣＤＭグループに長さ４のＯＣＣでＤＲＳを多重化する本発明の実施例を示す図である。
【図２６】２個のＣＤＭグループに長さ４のＯＣＣでＤＲＳを多重化する本発明の実施例を示す図である。
【図２７】２個のＣＤＭグループに長さ４のＯＣＣでＤＲＳを多重化する本発明の実施例を示す図である。
【図２８】２個のＣＤＭグループに長さ４のＯＣＣでＤＲＳを多重化する本発明の実施例を示す図である。
【図２９】２個のＣＤＭグループに長さ４のＯＣＣでＤＲＳを多重化する本発明の実施例を示す図である。
【図３０】２個のＣＤＭグループに長さ４のＯＣＣでＤＲＳを多重化する本発明の実施例を示す図である。
【図３１】２個のＣＤＭグループ間に所定のＯＣＣオフセットを持つようにＯＣＣを割り当てる本発明の実施例による他の例を示す図である。
【図３２】本発明の実施例によって、２個のＣＤＭグループが所定のＯＣＣオフセットを持つようにＯＣＣが割り当てられる時の長所を説明するための図である。
【図３３】本発明の実施例によって、２個のＣＤＭグループが所定のＯＣＣオフセットを持つようにＯＣＣが割り当てられる時の長所を説明するための図である。
【図３４】本発明の実施例によって、２個のＣＤＭグループが所定のＯＣＣオフセットを持つようにＯＣＣが割り当てられる時の長所を説明するための図である。
【図３５】本発明の実施例によって、２個のＣＤＭグループが所定のＯＣＣオフセットを持つようにＯＣＣが割り当てられる時の長所を説明するための図である。
【図３６】本発明の実施例によって、２個のＣＤＭグループが所定のＯＣＣオフセットを持つようにＯＣＣが割り当てられる時の長所を説明するための図である。
【図３７】本発明の実施例によって、２個のＣＤＭグループが所定のＯＣＣオフセットを持つようにＯＣＣが割り当てられる時の長所を説明するための図である。
【図３８】本発明の実施例によって、２個のＣＤＭグループが所定のＯＣＣオフセットを持つようにＯＣＣが割り当てられる時の長所を説明するための図である。
【図３９】ＤＲＳポート別のＤＲＳ副搬送波に従う位相オフセットを例示する図である。
【図４０】本発明の実施例によって、ＤＲＳ副搬送波に従ってレイヤー別に位相オフセットが適用される時の長所を説明するための図である。
【図４１】本発明の実施例によって、ＤＲＳ副搬送波に従ってレイヤー別に位相オフセットが適用される時の長所を説明するための図である。
【図４２】本発明の実施例によって、ＤＲＳ副搬送波に従ってレイヤー別に位相オフセットが適用される時の長所を説明するための図である。
【図４３】本発明の実施例によって、２個のＣＤＭグループが所定のＯＣＣオフセットを持つようにＯＣＣが割り当てられ、ＤＲＳ副搬送波に従ってレイヤー別に位相オフセットが適用される時の長所を説明するための図である。
【発明を実施するための形態】
【００６０】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を表すものではない。以下の詳細な説明は、本発明の完全な理解を提供するために具体的な細部事項を含む。しかし、当業者には、本発明がそれらの具体的な細部事項なしにも実施できることが理解される。
【００６１】
また、以下に説明される手法（ｔｅｃｈｎｉｑｕｅ）、装置及びシステムは、様々な無線多重接続システムに適用されることができる。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）またはＣＤＭＡ２０００のような無線技術（ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）などのような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ−ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、ダウンリンクではＯＦＤＭＡを採択し、アップリンクではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を想定して説明する。しかし、本発明の技術的特徴はこれに制限されない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａに特有な事項を除いては、別の任意の移動通信システムにも同様な適用が可能である。
【００６２】
場合によっては、本発明の概念が曖昧になることを避けるために、公知の構造及び装置を省略したり、各構造及び装置の核心機能を中心にしたブロック図の形式で図示したりすることができる。また、本明細書全体を通じて同一の構成要素については同一の図面符号を共通使用して説明する。
【００６３】
本発明において、ユーザー機器（ＵＥ：Ｕｓｅｒ  Ｅｑｕｉｐｍｅｎｔ）は固定しているものであってもよく、移動性を有するものであってもよい。ユーザー機器は、基地局と通信してユーザーデータ及び／または各種の制御情報を送受信する各種機器を含む。ユーザー機器は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることができる。また、本発明において、基地局（Ｂａｓｅ  Ｓｔａｔｉｏｎ：ＢＳ）は、一般に、ユーザー機器及び／または別の基地局と通信する固定した地点（ｆｉｘｅｄ  ｓｔａｔｉｏｎ）のことをいい、ユーザー機器及び別の基地局と通信して各種データ及び制御情報を交換する。基地局は、ｅＮＢ（ｅｖｏｌｖｅｄ−Ｎｏｄｅ  Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等の用語とも呼ばれる。
【００６４】
以下では、ＰＤＣＣＨ／ＰＣＦＩＣＨ／ＰＨＩＣＨ／ＰＤＳＣＨ／ＤＲＳ／ＣＲＳ／ＤＭＲＳ／ＣＳＩ−ＲＳリソース要素（Ｒｅｓｏｕｒｃｅ  Ｅｌｅｍｅｎｔ：ＲＥ）はそれぞれ、ＰＤＣＣＨ／ＰＣＦＩＣＨ／ＰＨＩＣＨ／ＰＤＳＣＨ／ＤＲＳ／ＣＲＳ／ＤＭＲＳ／ＣＳＩ−ＲＳに割当または利用可能なＲＥを意味する。以下では、特に、参照信号が伝送されるリソース要素をＲＳ  ＲＥと称し、制御情報あるいはデータが伝送されるリソース要素をデータＲＥと称する。
【００６５】
また、以下では、ＤＲＳ／ＣＲＳ／ＤＭＲＳ／ＣＳＩ−ＲＳが割り当てられたシンボル／搬送波／副搬送波を、ＤＲＳ／ＣＲＳ／ＤＭＲＳ／ＣＳＩ−ＲＳシンボル／搬送波／副搬送波と称する。例えば、ＤＲＳが割り当てられたシンボルはＤＲＳシンボルと称し、ＤＲＳが割り当てられた副搬送波はＤＲＳ副搬送波と称する。また、ユーザーデータ（例えば、ＰＤＳＣＨデータ、ＰＤＣＣＨデータなど）が割り当てられたシンボルをデータシンボルと称し、ユーザーデータが割り当てられた副搬送波をデータ副搬送波と称する。
【００６６】
一方、本発明で、特定信号がフレーム／サブフレーム／スロット／搬送波／副搬送波に割り当てられるということは、特定信号が該当のフレーム／サブフレーム／スロット／シンボルの期間／タイミングに該当の搬送波／副搬送波を通じて伝送されるということを意味する。
【００６７】
本発明でいうランクあるいは伝送ランクとは、一ＯＦＤＭシンボルあるいは一データＲＥ上に多重化／割当されたレイヤーの個数を意味する。
【００６８】
以下では、フレーム／サブフレーム／スロット／シンボル／搬送波／副搬送波内の特定信号が伝送されない場合、特定信号の伝送がドロップ、ミュート、ヌルあるいはブランクされたと表現する。例えば、送信装置が所定のリソース要素上でゼロ（ｚｅｒｏ）伝送電力で特定信号を伝送する場合、送信装置が、特定信号の伝送をドロップする、所定のリソース要素をミュートあるいはブランクする、または、所定の無線リソースでヌル信号を伝送する、と表現することができる。
【００６９】
図１は、本発明を行うユーザー機器（ＵＥ）及び基地局（ＢＳ）の構成要素を示すブロック図である。
【００７０】
ＵＥは、アップリンクでは送信装置として動作し、ダウンリンクでは受信装置として動作する。逆に、基地局は、アップリンクでは受信装置として動作し、ダウンリンクでは送信装置として動作することができる。
【００７１】
ＵＥ及び基地局は、情報及び／またはデータ、信号、メッセージなどを受信できるアンテナ５００ａ，５００ｂと、アンテナを制御してメッセージを伝送する送信器（Ｔｒａｎｓｍｉｔｔｅｒ）１００ａ，１００ｂ、アンテナを制御してメッセージを受信する受信器（Ｒｅｃｅｉｖｅｒ）３００ａ，３００ｂ、無線通信システムにおける通信と関連した各種情報を保存するメモリー２００ａ，２００ｂを含む。また、ＵＥ及び基地局は、ＵＥまたは基地局に含まれた送信器、受信器及びメモリーなどの構成要素を制御して本発明を行うように構成されたプロセッサー４００ａ，４００ｂをそれぞれ含む。ＵＥ内の送信器１００ａ、受信器３００ａ、メモリー２００ａ、プロセッサー４００ａはそれぞれ別個のチップ（ｃｈｉｐ）によって独立した構成要素として具現されることもでき、２つ以上が一つのチップによって具現されることもできる。同様に、基地局内の送信器１００ｂ、受信器３００ｂ、メモリー２００ｂ、プロセッサー４００ｂはそれぞれ別個のチップによって独立した構成要素として具現されることもでき、２つ以上が一つのチップによって具現されることもできる。送信器と受信器とが統合されて、ユーザー機器または基地局内で１個の送受信器（ｔｒａｎｓｃｅｉｖｅｒ）として具現されることもできる。
【００７２】
アンテナ５００ａ，５００ｂは、送信器１００ａ，１００ｂで生成された信号を外部に伝送したり、外部から無線信号を受信して受信器３００ａ，３００ｂに伝達する機能を果たす。アンテナ５００ａ，５００ｂは、アンテナポートと呼ばれることもある。各アンテナポートは、一つの物理アンテナに該当したり、２以上の物理アンテナの組み合わせで構成されることができる。多数のアンテナを用いてデータを送受信する多重入出力（Ｍｕｌｔｉ−Ｉｎｐｕｔ  Ｍｕｌｔｉ−Ｏｕｔｐｕｔ：ＭＩＭＯ）機能を支援する送受信器の場合は、２個以上のアンテナと連結されることができる。
【００７３】
プロセッサー４００ａ，４００ｂは、通常、ＵＥまたは基地局内の各種モジュールの全般的な動作を制御する。特に、プロセッサー４００ａ，４００ｂは、本発明を行うための各種制御機能、サービス特性及び伝播環境に応じたＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを行うことができる。プロセッサー４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサー（ｍｉｃｒｏｐｒｏｃｅｓｓｏｒ）、マイクロコンピュータ（ｍｉｃｒｏｃｏｍｐｕｔｅｒ）などとも呼ばれることができる。一方、プロセッサー４００ａ，４００ｂは、ハードウェア（ｈａｒｄｗａｒｅ）またはファームウェア（ｆｉｒｍｗａｒｅ）、ソフトウェア、またはこれらの結合により具現することができる。ハードウェアを用いて本発明を具現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などを、プロセッサー４００ａ，４００ｂに備えることができる。一方、ファームウェアやソフトウェアを用いて本発明を具現する場合には、本発明の機能または動作を行うモジュール、手順または関数などを含むようにファームウェアやソフトウェアを構成することができ、本発明を行いうるように構成されたファームウェアまたはソフトウェアは、プロセッサー４００ａ，４００ｂ内に設けられたり、メモリー２００ａ，２００ｂに格納されて、プロセッサー４００ａ，４００ｂにより駆動されることができる。
【００７４】
送信器１００ａ，１００ｂは、プロセッサー４００ａ，４００ｂまたは該プロセッサーと連結されたスケジューラからスケジューリングされて外部に伝送される信号及び／またはデータに所定の符号化（ｃｏｄｉｎｇ）及び変調（ｍｏｄｕｌａｔｉｏｎ）を行った後にアンテナ５００ａ，５００ｂに伝達する。例えば、送信器１００ａ，１００ｂは、伝送しようとするデータ列を逆多重化、チャネル符号化及び変調してＫ個のレイヤーに変換する。このＫ個のレイヤーは、送信器内の送信処理器を経て送信アンテナ５００ａ，５００ｂから伝送される。ＵＥ及び基地局の送信器１００ａ，１００ｂ及び受信器３００ａ，３００ｂは、送信信号及び受信信号を処理する過程に応じて異なる構成にすることができる。
【００７５】
メモリー２００ａ，２００ｂは、プロセッサー４００ａ，４００ｂの処理及び制御のためのプログラムを保存することができ、入出力される情報を臨時保存することができる。メモリー２００ａ，２００ｂをバッファーとして用いることができる。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）またはカードタイプのメモリー（例えば、ＳＤまたはＸＤメモリー等）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて具現することができる。
【００７６】
図２は、ユーザー機器及び基地局内の送信器構造の一例を示す図である。図２を参照して、送信器１００ａ，１００ｂの動作をより具体的に説明する。
【００７７】
図２を参照すると、ＵＥまたは基地局内の送信器１００ａ，１００ｂは、スクランブラ３０１及び変調マッパー３０２、レイヤーマッパー３０３、プリコーダ３０４、リソース要素マッパー３０５、ＯＦＤＭ／ＳＣ−ＦＤＭ信号生成器３０６を含むことができる。
【００７８】
送信器１００ａ，１００ｂは、一つ以上のコードワード（ｃｏｄｅｗｏｒｄ）を送信するこどかできる。各コードワード内の符号化されたビット（ｃｏｄｅｄ  ｂｉｔｓ）はそれぞれ、スクランブラ３０１によりスクランブリングされて物理チャネル上で伝送される。コードワードは、データ列とも呼ばれ、ＭＡＣ層が提供するデータブロックと等価のものである。ＭＡＣ層が提供するデータブロックは伝送ブロックとも呼ばれる。
【００７９】
スクランブルされたビットは、変調マッパー３０２により複素変調シンボル（ｃｏｍｐｌｅｘ−ｖａｌｕｅｄ  ｍｏｄｕｌａｔｉｏｎ  ｓｙｍｂｏｌｓ）に変調される。該変調マッパーは、スクランブルされたビットを既に設定された変調方式によって変調して、信号コンステレーション（ｓｉｇｎａｌ  ｃｏｎｓｔｅｌｌａｔｉｏｎ）上の位置を表現する複素変調シンボルとして配置することができる。変調方式（ｍｏｄｕｌａｔｉｏｎ  ｓｃｈｅｍｅ）は特に制限されず、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが、符号化されたデータの変調に用いられることができる。
【００８０】
この複素変調シンボルは、レイヤーマッパー３０３により一つ以上の伝送レイヤーにマッピングされる。
【００８１】
各レイヤー上の複素変調シンボルは、アンテナポート上での伝送のためにプリコーダ３０４によりプリコーディングされる。具体的に、プリコーダ３０４は、複素変調シンボルを多重送信アンテナ５００−１，…，５００−Ｎｔに応じたＭＩＭＯ方式で処理してアンテナ特定シンボルを出力し、該アンテナ特定シンボルを該当のリソース要素マッパー３０５に分配する。すなわち、伝送レイヤーのアンテナポートへのマッピングはプリコーダ３０４により行われる。プリコーダ３０４は、レイヤーマッパー３０３の出力ｘを、Ｎｔ×Ｍｔのプリコーディング行列Ｗに乗じてＮｔ×ＭＦの行列ｚとして出力することができる。
【００８２】
リソース要素マッパー３０５は、各アンテナポートに対する複素変調シンボルを適切なリソース要素（ｒｅｓｏｕｒｃｅ  ｅｌｅｍｅｎｔｓ）にマッピング／割当する。リソース要素マッパー３０５は、各アンテナポートに対する複素変調シンボルを適切な副搬送波に割り当て、ユーザーに応じて多重化できる。
【００８３】
ＯＦＤＭ／ＳＣ−ＦＤＭ信号生成器３０６は、各アンテナポートに対する複素変調シンボル、すなわち、アンテナ特定シンボルをＯＦＤＭまたはＳＣ−ＦＤＭ方式で変調して、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号またはＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボル信号を生成する。ＯＦＤＭ／ＳＣ−ＦＤＭ信号生成器３０６は、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴされた時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て、各送信アンテナ５００−１，…，５００−Ｎｔから受信装置に送信される。ＯＦＤＭ／ＳＣ−ＦＤＭ信号生成器３０６は、ＩＦＦＴモジュール、ＣＰ挿入器、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ  ｃｏｎｖｅｒｔｅｒ）などを含むことができる。
【００８４】
一方、送信器１００ａ，１００ｂがコードワードの送信にＳＣ−ＦＤＭ接続（ＳＣ−ＦＤＭＡ）方式を採択する場合、送信器１００ａ，１００ｂは、高速フーリエ変換器（ｆａｓｔ  Ｆｏｕｒｉｅｒ  ｔｒａｎｓｆｏｒｍｅｒ）を含むことができる。高速フーリエ変換器は、アンテナ特定シンボルにＦＦＴ（Ｆａｓｔ  Ｆｏｕｒｉｅｒ  Ｔｒａｎｓｆｏｒｍ）を行い、高速フーリエ変換されたシンボルをリソース要素マッパー３０５に出力する。
【００８５】
受信器３００ａ，３００ｂの信号処理過程は、送信器の信号処理過程の逆の過程とされる。具体的に、受信器３００ａ，３００ｂは、外部からアンテナ５００ａ，５００ｂを介して受信した無線信号に復号（ｄｅｃｏｄｉｎｇ）及び復調（ｄｅｍｏｄｕｌａｔｉｏｎ）を行って該当のプロセッサー４００ａ，４００ｂに伝達する。受信器３００ａ，３００ｂに連結されたアンテナ５００ａ，５００ｂは、Ｎｒ個の多重受信アンテナを含むことができ、受信アンテナを介して受信した信号のそれぞれは基底帯域信号に復元された後、多重化及びＭＩＭＯ復調化を経て、送信器１００ａ，１００ｂが本来伝送しようとしたデータ列に復元される。受信器３００ａ，３００ｂは、受信した信号を基底帯域信号に復元するための信号復元器、受信・処理された信号を結合して多重化する多重化器、多重化された信号列を該当のコードワードに復調するチャネル復調器を含むことができる。信号復元器、多重化器及びチャネル復調器は、これらの機能を行う統合した一つのモジュールにしても良く、それぞれの独立したモジュールにしても良い。さらにいうと、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、デジタル信号からＣＰを除去するＣＰ除去器、ＣＰの除去された信号にＦＦＴを適用して周波数ドメインシンボルを出力するＦＦＴモジュール、周波数ドメインシンボルをアンテナ特定シンボルに復元するリソース要素デマッパー（ｒｅｓｏｕｒｃｅ  ｅｌｅｍｅｎｔ  ｄｅｍａｐｐｅｒ）／等化器（ｅｑｕａｌｉｚｅｒ）を含むことができる。このアンテナ特定シンボルは、多重化器により伝送レイヤーに復元され、伝送レイヤーはチャネル復調器により、送信装置が伝送しようとしたコードワードに復元される。
【００８６】
一方、受信器３００ａ，３００ｂがＳＣ−ＦＤＭＡ方式で伝送された信号を受信する場合、受信器３００ａ，３００ｂは、ＩＦＦＴモジュールをさらに含む。ＩＦＦＴモジュールは、リソース要素デマッパーにより復元されたアンテナ特定シンボルにＩＦＦＴを行って、逆高速フーリエ変換されたシンボルを多重化器に出力する。
【００８７】
参考として、図１及び図２で、スクランブラ３０１、変調マッパー３０２、レイヤーマッパー３０３、プリコーダ３０４、リソース要素マッパー３０５及びＯＦＤＭ／ＳＣ−ＦＤＭＡ信号生成器３０６が送信器１００ａ，１００ｂに含まれるとして説明したが、送信装置のプロセッサー４００ａ，４００ｂが、スクランブラ３０１、変調マッパー３０２、レイヤーマッパー３０３、プリコーダ３０４、リソース要素マッパー３０５及びＯＦＤＭ／ＳＣ−ＦＤＭＡ信号生成器３０６を含むように構成することも可能である。同様に、図１及び図２では、信号復元器、多重化器、及びチャネル復調器が受信器３００ａ，３００ｂに含まれるとして説明したが、受信装置のプロセッサー４００ａ，４００ｂが、信号復元器、多重化器及びチャネル復調器を含むように構成することも可能である。以下では、説明の便宜のために、スクランブラ３０１、変調マッパー３０２、レイヤーマッパー３０３、プリコーダ３０４、リソース要素マッパー３０５、及びＯＦＤＭ／ＳＣ−ＦＤＭＡ信号生成器３０６が、それらの動作を制御するプロセッサー４００ａ，４００ｂと分離された送信器１００ａ，１００ｂに含まれ、信号復元器、多重化器、及びチャネル復調器が、それらの動作を制御するプロセッサー４００ａ，４００ｂとは分離された受信器３００ａ，３００ｂに含まれるとして説明する。しかし、スクランブラ３０１、変調マッパー３０２、レイヤーマッパー３０３、プリコーダ３０４、リソース要素マッパー３０５及びＯＦＤＭ／ＳＣ−ＦＤＭＡ信号生成器３０６がプロセッサー４００ａ，４００ｂに含まれた場合及び信号復元器、多重化器及びチャネル復調器がプロセッサー４００ａ，４００ｂに含まれた場合にも、本発明の実施例を同様に適用することができる。
【００８８】
図３は、無線通信システムで用いられる無線フレーム構造の一例を示す図である。特に、図３は、３ＧＰＰ  ＬＴＥ／ＬＴＥ−Ａシステムの無線フレームの構造を例示する。図３の無線フレーム構造は、ＦＤＤモード、半（ｈａｌｆ）ＦＤＤ（Ｈ−ＦＤＤ）モード、及びＴＤＤモードに適用することができる。
【００８９】
図３を参照すると、３ＧＰＰ  ＬＴＥ／ＬＴＥ−Ａで用いられる無線フレームは、１０ｍｓ（３２７２００Ｔｓ）の長さを有し、１０個の均等な大きさのサブフレームで構成される。ここで、Ｔｓはサンプリング時間を表し、Ｔｓ＝１／（２０４８ｘ１５ｋＨｚ）で表示される。それぞれのサブフレームは１ｍｓの長さを有し、２個のスロットで構成される。一無線フレーム内の２０個のスロットは、０〜１９までに順次ナンバリングされる。各スロットは０．５ｍｓの長さを有する。一サブフレームを伝送するための時間は、伝送時間間隔（ＴＴＩ：ｔｒａｎｓｍｉｓｓｉｏｎ  ｔｉｍｅ  ｉｎｔｅｒｖａｌ）と定義される。
【００９０】
図４は、無線通信システムにおいてＤＬ／ＵＬスロット構造の一例を示す図である。特に、図４は、３ＧＰＰ  ＬＴＥ／ＬＴＥ−Ａシステムのリソース格子（ｒｅｓｏｕｒｃｅｇｒｉｄ）の構造を示す。
【００９１】
図４を参照すると、スロットは、時間ドメインで複数のＯＦＤＭシンボルを含み、周波数ドメインで多数のリソースブロック（ｒｅｓｏｕｒｃｅ  ｂｌｏｃｋ：ＲＢ）を含む。ＯＦＤＭシンボルは、一シンボル区間を意味することもある。リソースブロックは、周波数ドメインで多数の副搬送波を含む。ＯＦＤＭシンボルは、多重接続方式によって、ＯＦＤＭシンボル、ＳＣ−ＦＤＭシンボルなどと呼ばれることができる。一つのスロットに含まれるＯＦＤＭシンボルの数は、チャネル帯域幅、ＣＰの長さによって様々に変更可能である。例えば、正常（ｎｏｒｍａｌ）ＣＰの場合には、一つのスロットが７個のＯＦＤＭシンボルを含むが、拡張（ｅｘｔｅｎｄｅｄ）ＣＰの場合には、一つのスロットが６個のＯＦＤＭシンボルを含む。図４では、説明の便宜のために一つのスロットが７ＯＦＤＭシンボルで構成されるサブフレームを例示したが、本発明の実施例は、その他の個数のＯＦＤＭシンボルを持つサブフレームにも同様の方式で適用されることができる。参考として、一つのＯＦＤＭシンボルと一つの副搬送波で構成されたリソースを、リソース要素（ｒｅｓｏｕｒｃｅ  ｅｌｅｍｅｎｔ：ＲＥ）あるいはトーン（ｔｏｎｅ）という。
【００９２】
図４を参照すると、各スロットで伝送される信号は、ＮＤＬ／ＵＬＲＢＮＲＢｓｃ個の副搬送波（ｓｕｂｃａｒｒｉｅｒ）とＮＤＬ／ＵＬｓｙｍｂ個のＯＦＤＭあるいはＳＣ−ＦＤＭシンボルとで構成されるリソース格子（ｒｅｓｏｕｒｃｅ  ｇｒｉｄ）で表現することができる。ここで、ＮＤＬＲＢは、ダウンリンクスロットでのリソースブロック（ＲＢ）の個数を表し、ＮＵＬＲＢは、アップリンクスロットでのＲＢの個数を表す。ＮＤＬｓｙｍｂは、ダウンリンクスロット内のＯＦＤＭあるいはＳＣ−ＦＤＭシンボルの個数を表し、ＮＵＬｓｙｍｂは、アップリンクスロット内のＯＦＤＭあるいはＳＣ−ＦＤＭシンボルの個数を表す。ＮＲＢｓｃは、一つのＲＢを構成する副搬送波の個数を表す。
【００９３】
言い換えると、物理リソースブロック（ｐｈｙｓｉｃａｌ  ｒｅｓｏｕｒｃｅ  ｂｌｏｃｋ：ＰＲＢ）は、時間ドメインでＮＤＬ／ＵＬｓｙｍｂ個の連続するＯＦＤＭシンボルあるいはＳＣ−ＦＤＭシンボルで定義され、周波数ドメインでＮＲＢｓｃ個の連続する副搬送波で定義される。したがって、一つのＰＲＢは、ＮＤＬ／ＵＬｓｙｍｂ×ＮＲＢｓｃ個のリソース要素で構成される。
【００９４】
リソース格子内の各リソース要素は、一スロット内のインデックス対（ｋ，ｌ）によって固有に定義することができる。ｋは、周波数ドメインで０〜ＮＤＬ／ＵＬＲＢＮＲＢｓｃ−１まで与えられるインデックスであり、ｌは、時間ドメインで０〜ＮＤＬ／ＵＬｓｙｍｂ−１まで与えられるインデックスである。
【００９５】
図５は、無線通信システムにおいてダウンリンクサブフレーム構造の一例を示す図である。
【００９６】
図５を参照すると、各サブフレームは、制御領域（ｃｏｎｔｒｏｌ  ｒｅｇｉｏｎ）とデータ領域（ｄａｔａ  ｒｅｇｉｏｎ）とに区分することができる。制御領域は、最初のＯＦＤＭシンボルから始まり、一つ以上のＯＦＤＭシンボルを含む。サブフレーム内で制御領域として用いられるＯＦＤＭシンボルの個数はサブフレーム別に独立して設定することができ、このＯＦＤＭシンボルの個数はＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）を通じて伝送される。基地局は、制御領域を通じて各種の制御情報をユーザー機器に伝送することができる。制御情報の伝送のために、制御領域にはＰＤＣＣＨ（Ｐｈｙｓｉｃａｌ  Ｄｏｗｎｌｉｎｋ  Ｃｏｎｔｒｏｌ  ＣＨａｎｎｅｌ）、ＰＣＦＩＣＨ、ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）などを割り当てることができる。
【００９７】
基地局は、データ領域を通じてユーザー機器あるいはユーザー機器グループのためのデータを伝送することができる。このデータ領域を通じて伝送されるデータを、ユーザーデータとも呼ぶ。ユーザーデータの伝送のためにデータ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ユーザー機器は、ＰＤＣＣＨを通じて伝送される制御情報を復号してＰＤＳＣＨを通じて伝送されるデータを読むことができる。例えば、ＰＤＳＣＨのデータがどのユーザー機器あるいはユーザー機器グループに伝送されるのか、ユーザー機器あるいはユーザー機器グループがどのようにＰＤＳＣＨデータを受信及び復号しなければならないのかなどを示す情報が、ＰＤＣＣＨに含まれて伝送される。
【００９８】
ＰＤＣＣＨはＤＬ−ＳＣＨ（Ｄｏｗｎｌｉｎｋ  Ｓｈａｒｅｄ  Ｃｈａｎｎｅｌ）の伝送フォーマット（ｔｒａｎｓｐｏｒｔ  ｆｏｒｍａｔ）及びリソース割当情報、ＵＬ−ＳＣＨ（Ｕｐｌｉｎｋ  Ｓｈａｒｅｄ  Ｃｈａｎｎｅｌ）のリソース割当情報、ＰＣＨ（ｐａｇｉｎｇ  ｃｈａｎｎｅｌ）に関するページング情報、ＤＬ−ＳＣＨに関するシステム情報、ＰＤＳＣＨ上で伝送されたランダム接続応答（ｒａｎｄｏｍ  ａｃｃｅｓｓ  ｒｅｓｐｏｎｓｅ）のような上位レイヤー制御メッセージの割当情報、任意のＵＥグループ内の各ＵＥに関するＴｘ電力制御命令の集合、ＶｏＩＰ（ｖｏｉｃｅ  ｏｖｅｒ  ＩＰ）の活性化（ａｃｔｉｖａｔｉｏｎ）情報などを搬送する。複数のＰＤＣＣＨが制御領域で伝送されることができる。ＵＥは、複数のＰＤＣＣＨをモニターし、自身のＰＤＣＣＨを検出することができる。ＰＤＣＣＨは、ＤＣＩ（ｄｏｗｎｌｉｎｋ  ｃｏｎｔｒｏｌ  ｉｎｄｉｃａｔｏｒ）フォーマットによって制御情報の大きさと用途が異なり、符号化率に応じて大きさが変わることがある。
【００９９】
ＤＣＩフォーマットは各ＵＥ別に独立して適用され、一サブフレーム中に多数のＵＥのＰＤＣＣＨが多重化されることができる。各ＵＥのＰＤＣＣＨは独立してチャネルコーディングされてＣＲＣ（ｃｙｃｌｉｃ  ｒｅｄｕｎｄａｎｃｙ  ｃｈｅｃｋ）が付加される。ＣＲＣは、各ＵＥが自身のＰＤＣＣＨを受信できるように、各ＵＥの固有識別子でマスク（ｍａｓｋ）される。しかし、基本的に、ＵＥは、自身のＰＤＣＣＨが伝送される位置を知っていないので、毎サブフレームごとに該当のＤＣＩフォーマットの全てのＰＤＣＣＨを、自身の識別子を持つＰＤＣＣＨを受信するまでブラインド検出（ブラインドデコーディングともいう。）を行う。
【０１００】
一方、干渉信号の緩和、ＢＳとＵＥ間のチャネル状態の推定、ＢＳとＵＥ間に伝送された信号の復調などのために、様々な参照信号がＢＳとＵＥ間に伝送される。参照信号とは、ＢＳからＵＥへ、あるいはＵＥからＢＳへ伝送する、ＢＳとＵＥが互いに知っている、予め定められた特別な波形の信号のことを意味する。
【０１０１】
これらの参照信号は、専用参照信号（ｄｅｄｉｃａｔｅｄ  ｒｅｆｅｒｅｎｃｅ  ｓｉｇｎａｌ：ＤＲＳ）と共用参照信号（ｃｏｍｍｏｎ  ｒｅｆｅｒｅｎｃｅ  ｓｉｇｎａｌ：ＣＲＳ）とに大別することができる。ＣＲＳは、ＰＤＳＣＨ伝送を支援するセル内の全てのダウンリンクサブフレームで伝送される。ＣＲＳは、復調目的及び測定目的の両方に利用できる参照信号で、セル内の全てのユーザー機器に共有される。ＣＲＳシーケンスは、レイヤーの個数によらずに全てのアンテナポートから伝送される。これに対し、ＤＲＳは、復調目的に用いることが一般的であり、特定のＵＥのみが使用することができる。ＣＲＳ及びＤＲＳはそれぞれ、セル−特定ＲＳ及び復調（ｄｅｍｏｄｕａｔｉｏｎ）ＲＳ（ＤＭＲＳ）とも呼ばれる。また、ＤＭＲＳは、ユーザー機器−特定（ＵＥ−ｓｐｅｃｉｆｉｃ）ＲＳとも呼ばれる。
【０１０２】
図６は、ＤＲＳ伝送の概念図である。特に、図６は、プリコーディングされたＲＳを伝送する送信器を例示する図である。
【０１０３】
ＤＲＳは、特定ＵＥでのみ用いることができ、他のＵＥは、特定ＵＥのために伝送されたＤＲＳを使用することができない。特定ＵＥのデータ復調に用いらるＤＲＳは、プリコーディングされたＲＳ（ｐｒｅｃｏｄｅｄ  ＲＳ）とプリコーディングされていないＲＳ（ｎｏｎ−ｐｒｅｃｏｄｅｄ  ＲＳ）とに区別することができる。プリコーディングされたＲＳがＤＲＳとして採択されると、このＤＲＳはデータシンボルのプリコーディングに用いられるプリコーディング行列でプリコーディングされ、Ｋ個のレイヤーと同じ個数のＲＳシーケンスが伝送される。ここで、Ｋは、物理アンテナポートの個数Ｎｔと等しい、または小さい。Ｋ個のレイヤーは、一つまたは複数のＵＥに割り当てられることができる。複数のＵＥがＫ個のレイヤーを共有する場合には、１〜Ｋ個のＵＥが同一の時間／周波数リソースを用いてＫ個のレイヤーを受信することができる。
【０１０４】
当該ＵＥは、例えば、データ信号と共に伝送されたＤＲＳに基づいて、予め定められた変調方式によって受信データ信号を信号コンステレーション上の所定の位置に配列することによって、受信したデータ信号を復調することができる。
【０１０５】
図７は、ＬＴＥシステムで用いられるＤＲＳパターンの例を示す図である。特に、図７（ａ）は、正常ＣＰサブフレーム内のＤＲＳパターンを例示するものであり、図７（ｂ）は、拡張ＣＰサブフレーム内のＤＲＳパターンを例示する図である。図７で、‘ｌ’は、一スロット内のＯＦＤＭシンボルの位置を表す。
【０１０６】
一リソースブロックあるいは一リソースブロック対を構成するリソース要素において、ＤＲＳが伝送されうるリソース要素は定められているのが一般的である。この場合、ＵＥは、各リソースブロックあるいは各リソースブロック対のリソース要素のうち、あらかじめ定められた位置のリソース要素からＤＲＳを検出すればよい。例えば、図７を参照すると、ＢＳは、アンテナポート５を通じて、一つ以上のリソースブロック対で図７（ａ）あるいは図７（ｂ）のように割り当てられたＤＲＳを伝送する。以下では、一リソースブロックあるいは一リソースブロック対においてＤＲＳが伝送されるリソース要素の位置をＤＲＳパターンとして本発明の実施例を説明する。
【０１０７】
一方、ＬＴＥシステムでは、最大２個のレイヤーを支援し、レイヤーは、該レイヤーの復調のためのＤＲＳ及び該当のＵＥ及びレイヤーを伝送するＢＳ間のチャネル推定のためのＣＲＳと同時に伝送される。ＣＲＳベースのダウンリンク伝送では、全ての物理アンテナポート上でＲＳが伝送されなければならない。したがって、ＣＲＳベースのダウンリンク伝送は、物理アンテナポートの個数が増加するにつれて全体的なＲＳオーバーヘッドも増加し、データ伝送効率が低下するという問題を招く。このような問題点を解決するために、ＬＴＥシステムに比べてより多数のレイヤー伝送が可能なＬＴＥ−Ａシステムは、物理アンテナポートの個数に従って伝送オーバーヘッドが増加するＣＲＳの代わりに、ＤＲＳを復調用の参照信号として用いる。ＤＲＳベースのダウンリンク伝送の場合、仮想アンテナポートのみがコヒーレント（ｃｏｈｅｒｅｎｔ）復調のための参照信号を必要とする。すなわち、ＤＲＳベースのダウンリンク伝送の場合、ＢＳの全ての物理アンテナポートではなく、仮想アンテナポートのみが該当の仮想アンテナのＤＲＳを伝送すればいい。仮想アンテナポートの個数は、物理アンテナポートの個数Ｎｔより小さい、または等しいのが一般的であるから、ＤＲＳベースのダウンリンク伝送におけるＲＳ伝送オーバーヘッドが、ＣＲＳベースのダウンリンク伝送におけるＲＳオーバーヘッドに比べて低減するという長所がある。
【０１０８】
参考として、データと同じプリコーダを使用したＤＲＳは、復調目的にのみ用いられるＲＳであるから、ＬＴＥ−Ａでは、ＵＥがチャネル状態情報を測定できるようにするための追加的な測定用ＲＳであるＣＳＩ−ＲＳ（Ｃｈａｎｎｅｌ  Ｓｔａｔｅ  Ｉｎｆｏｒｍａｔｉｏｎ  ＲＳ）が、当該ＵＥに伝送される。ＣＳＩ−ＲＳは、チャネル状態が相対的に時間による変化度が大きくないという事実に着目し、毎サブフレームごとに伝送されるＣＲＳとは違い、多数のサブフレームで構成される所定の伝送周期ごとに伝送される。このようなＣＳＩ−ＲＳの伝送特徴から、ＣＳＩ−ＲＳの伝送オーバーヘッドがＣＲＳの伝送オーバーヘッドよりも低くなる。
【０１０９】
参考として、本発明のＤＲＳはＰＤＳＣＨ伝送のために用いられ、このＰＤＳＣＨの伝送に用いられるレイヤーの個数分だけ各レイヤーの復調のために伝送される。本発明のＤＲＳは、該当のＰＤＳＣＨがマッピングされたリソースブロック（ＲＢ）上でのみ伝送される。また、本発明のＤＲＳは、アンテナポートによらず、他のＲＳの伝送に用いられるＲＥ上では伝送されない。
【０１１０】
図８は、ＬＴＥ−Ａシステムで用いられるＤＲＳパターンの例を示す図である。特に、図８は、正常ＣＰを持つ一般的な（ｒｅｇｕｌａｒ）サブフレームの一リソースブロック対におけるＤＲＳパターンを例示する図である。
【０１１１】
ＬＴＥ−Ａシステムでは、一サブフレームで多数のレイヤーが多重化されてＵＥに伝送されることができる。多重レイヤー伝送の場合、レイヤー別にＤＲＳも伝送しなければならず、伝送されるレイヤーの個数に比例してＤＲＳの個数も増加する。多数のＤＲＳが互いに異なるＲＥを通じて伝送される場合、レイヤーの個数が増加するとＤＲＳ  ＲＥの個数も増加し、データ伝送効率が低くなるという問題点につながる。したがって、ＤＲＳ伝送オーバーヘッドを減らすために、複数のＤＲＳを伝送しなければならない場合には所定のＲＥに一つ以上のＤＲＳを多重化して伝送することができる。
【０１１２】
したがって、ＬＴＥ−Ａシステムでは、複数のＤＲＳを大きく２グループのＲＥでそれぞれ伝送する。例えば、図８で‘Ｃ’で表記されたＲＥに一つ以上のＤＲＳが多重化されてＵＥに伝送され、‘Ｄ’で表記されたＲＥに一つ以上の他のＤＲＳが多重化されてＵＥに伝送されることができる。所定の無線リソースに複数のＤＲＳが多重化される場合、複数のＤＲＳが互いに区別されるように、例えば、長さ２の直交カバーコード（Ｏｒｔｈｏｇｏｎａｌ  Ｃｏｖｅｒ  Ｃｏｄｅ：ＯＣＣ）を使用してＤＲＳを拡張すると、一ＲＥを通じて最大２個の互いに異なるＤＲＳを伝送することができる。他の例として、長さ４の直交カバーコード（ＯＣＣ）を用いてＤＲＳを拡張すると、一ＲＥを通じて最大４個の互いに異なるＤＲＳを多重化して伝送することができる。直交カバーコードの一例には、ウォルシュ・アダマール（Ｗａｌｓｈ−Ｈａｄｍａｒｄ）コードがある。直交カバーコードは、直交シーケンスとも呼ばれる。
【０１１３】
以下では、一リソースブロックあるいは一リソースブロック対のＲＥのうち、直交カバーコードによって拡張されて互いに区別されうるＤＲＳが伝送されるＲＥの集合を、ＣＤＭ（Ｃｏｄｅ  Ｄｉｖｉｓｉｏｎ  Ｍｕｌｔｉｐｌｅｘｉｎｇ）グループと称する。図８を参照すると、例えば、‘Ｃ’で表記されたＲＥが一つのＣＤＭグループ（以下、ＣＤＭグループ１）に属し、‘Ｄ’で表記されたＲＥが他のＣＤＭグループ（以下、ＣＤＭグループ２）に属する。サブフレーム内の一対の連続するリソースブロック（以下、リソースブロック対）内でも、図８の各ＣＤＭグループは１２個のＲＥを含む。
【０１１４】
図９は、２個のレイヤーのＤＲＳが長さ２のＯＣＣを使用して、正常ＣＰを持つサブフレームに多重化されたパターンを例示する図である。
【０１１５】
図９（ａ）乃至図９（ｃ）に例示された、２個のレイヤーに対する２個のＤＲＳの無線リソースへのマッピングは、次のように表現することができる。例えば、２個のレイヤーに一対一に対応する仮想アンテナポートを、アンテナポート７及びアンテナポート８とする。正常ＣＰを持つサブフレームの場合、アンテナポート７及びアンテナポート８のための各ＤＲＳシーケンスｒ（ｍ）の一部は、該当のＰＤＳＣＨ伝送のために割り当てられた、周波数ドメインインデックスｎＰＲＢを持つ物理リソースブロック（ＰＲＢ）において次の式によって複素変調シンボル（ｃｏｍｐｌｅｘ−ｖａｌｕｅｄ  ｍｏｄｕｌａｔｉｏｎ  ｓｙｍｂｏｌ）ａ（ｐ）ｋ，ｌにマッピングされることができる。
【０１１６】
【数１】
2011193467.tif 000035
ここで、ｐはアンテナポートインデックスで、ｐ∈｛７、８｝である。ｋ及びｌは、図４で説明した副搬送波インデックスとＯＦＤＭシンボルインデックスである。ｒ（ｓ）は、ランダムシーケンスである。ｍ’は、該当のＰＤＳＣＨ伝送の各ＯＦＤＭシンボル内のＤＲＳ  ＲＥのカウンターを表す。各ＤＲＳ  ＯＦＤＭシンボルは、各ＲＢごとに３個のＤＲＳ副搬送波を含むので、ｍ’は、０、１、２のうちの一つの値を有する。Ｎｍａｘ，ＤＬＲＢは、該当のＰＤＳＣＨに割り当てられたダウンリンクスロットにおけるリソースブロックの最大個数を表す。ｎｓは、無線フレームにおけるスロットナンバーを表す。ｌ’は、サブフレーム内のＤＲＳ  ＯＦＤＭシンボルのカウンターに該当する。サブフレームは、正常ＣＰの場合、総４個のＤＲＳ  ＯＦＤＭシンボルを持つので、ｌ’は、０、１、２、３のうちの一つの値を有する。
【０１１７】
図９を参照すると、アンテナポート７に該当するレイヤーのＤＲＳとアンテナポート８に該当するレイヤーのＤＲＳが、同じＲＥに割り当てられて伝送されることがわかる。言い換えると、アンテナポート７のＤＲＳとアンテナポート８のＤＲＳは、所定のＣＤＭグループ、例えば、ＣＤＭグループ１に多重化されて伝送されることができる。
【０１１８】
以下では、図９（ａ）のようにＣＤＭグループが構成される一般サブフレームを例にして本発明の実施例を記述する。しかし、本発明は、一般サブフレームの他に、特別サブフレームにも同様の方法で適用されることができる。
【０１１９】
図１０は、４個のレイヤーに対するＤＲＳが２個のＣＤＭグループを通じて伝送される例を示す図で、２個のＣＤＭグループを用いると、ＣＤＭグループ別に２個のＤＲＳを多重化して伝送することができる。
【０１２０】
このように、長さ２のＯＣＣ（ＯＣＣ＝２）を用いると、一ＲＥに２個のＤＲＳを多重化でき、ＣＤＭグループに個数に比例して多重化して伝送されうるレイヤーの個数が増加する。例えば、長さ２のＯＣＣ（ＯＣＣ＝２）を用いると、最大４個のＤＲＳシーケンスが２個のＣＤＭグループを通じて伝送されることができる。
【０１２１】
図１１は、４個のＤＲＳを２個のＣＤＭグループに多重化する方法を示す図である。最大ランク４までのＭＩＭＯを支援するシステムでは、最大４個のＤＲＳシーケンスが２個のＣＤＭグループを通じて伝送されることができる。すなわち、ＣＤＭグループ別に２個のＤＲＳが長さ２（ＯＣＣ＝２）の２個のＯＣＣシーケンスにより多重化されることができる。
【０１２２】
図１１を参照すると、ＤＲＳｘ、ＤＲＳｙ、ＤＲＳｚ及びＤＲＳｗに対応する仮想アンテナポートをそれぞれ、ＤＲＳポートＸ、ＤＲＳポートＹ、ＤＲＳポートＺ及びＤＲＳポートＷとする。また、長さ２の２個のＯＣＣシーケンスは、［１  １］及び［１  −１］とする。２個のＯＣＣシーケンスは、図１１の２×２行列において行（ｒｏｗ）方向シーケンスに該当する。
【０１２３】
図１１を参照すると、ＤＲＳｘは、シーケンス［１  １］によって拡張され、ＤＲＳｙは、シーケンス［１  −１］によって拡張されて、ＣＤＭグループ１に割り当てられることができる。ＤＲＳｚは、シーケンス［１  １］及び［１  −１］のうちのいずれか一方によって拡張され、ＤＲＳｗは、いずれか他方のシーケンスによって拡張されて、ＣＤＭグループ２に割り当てられることができる。
【０１２４】
図１１のリソースブロック対は総４個のＤＲＳシンボル１〜４を含む。ＤＲＳシンボル１には、シーケンス［１  １］によって拡張されたＤＲＳｘの一部、及びシーケンス［１  −１］によって拡張されたＤＲＳｙの一部が割り当てられる。例えば、ＤＲＳｘは、［１  １］によって［１  １］×ＤＲＳｘ＝［ＤＲＳｘ  ＤＲＳｘ］に拡張され、ＤＲＳｙは、［１  −１］によって［１  −１］×ＤＲＳｙ＝［ＤＲＳｙ  −ＤＲＳｙ］に拡張されて、第１番目の元素であるＤＲＳｘとＤＲＳｙはＤＲＳシンボル１に割り当てられ、第２番目の元素であるＤＲＳｘと−ＤＲＳｙはＤＲＳシンボル２に割り当てられることができる。すなわち、ＤＲＳシンボル１には（１×ＤＲＳｘ）＋（１×ＤＲＳｙ）が割り当てられ、ＤＲＳシンボル２には（１×ＤＲＳｘ）＋（−１×ＤＲＳｙ）が割り当てられる。
【０１２５】
要するに、４個のＤＲＳは２個のＣＤＭグループに次のように直交カバーコードによってＤＲＳ  ＲＥに割り当てられることができる。
【０１２６】
【表１】
2011193467.tif 000036
表１で、ＤＲＳポートはレイヤーに一対一に対応する。したがって、ＤＲＳポートインデックスはレイヤーインデックスとして用いることもできる。逆に、レイヤーインデックスがＤＲＳポートインデックスとして用いられることも可能である。アンテナポート７〜１０はＤＲＳポート０〜３に対応することができる。各ＤＲＳポートに対するＤＲＳは［ｗｐ（０）  ｗｐ（１）］によって拡張されて、該当のＣＤＭグループ上の１対のＲＥごとにマッピングされる。
【０１２７】
各ＣＤＭグループを基準に、該当のＣＤＭグループに割り当てられたＤＲＳポート及び該当のＤＲＳの拡散に用いられた直交カバーコードを示すと、下記の通りである。
【０１２８】
【表２】
2011193467.tif 000037
表１または表２を参照すると、ＣＤＭグループ１に属するＲＥには、（＋１×ＤＲＳ０）＋（＋１×ＤＲＳ１）と（＋１×ＤＲＳ０）＋（−１×ＤＲＳ１）が順にマッピングされ、ＣＤＭグループ２に属するＲＥには、（＋１×ＤＲＳ２）＋（＋１×ＤＲＳ３）と（＋１×ＤＲＳ２）＋（−１×ＤＲＳ３）が順にマッピングされることができる。
【０１２９】
このように、長さ２のＯＣＣによるＤＲＳの拡散に用いられるＯＣＣ及び一ＲＥへの多重化に用いられるＯＣＣは、下記の数学式で簡単に表現することができる。
【０１３０】
【数２】
2011193467.tif 000038
ここで、列ベクトルａ及び列ベクトルｂはそれぞれ複数のＤＲＳを多重化するＯＣＣで、各列ベクトルは、一ＲＥに多重化される時に各ＤＲＳに乗じられる係数で構成される。行ベクトルｘ及び行ベクトルｙのそれぞれは、一ＤＲＳを拡散させるＯＣＣを表し、一種の拡散因子（ｓｐｒｅａｄｉｎｇ  ｆａｃｔｏｒ）といえる。以下、拡散の観点からのＯＣＣを拡散ＯＣＣ、多重化の観点からのＯＣＣを多重化ＯＣＣとして本発明を説明する。
【０１３１】
以下では、説明の便宜のために、一ＲＥに複数のＤＲＳが多重化された形態を、各ＤＲＳに乗じられる重みを表す列ベクトルａ及び列ベクトルｂで表現して、本発明を説明する。例えば、一ＣＤＭグループに２個のＤＲＳが多重化される例を示す図１２で、‘ａ’で表記されたＲＥは、２個のＤＲＳが列ベクトルａの元素によってそれぞれ乗じられて割り当てられたＲＥを表し、‘ｂ’で表記されたＲＥは、２個のＤＲＳが列ベクトルｂの元素によってそれぞれ乗じられて割り当てられたＲＥを表す。
【０１３２】
図１２を参照すると、多重化ＯＣＣが割り当てられる場合、一ＯＦＤＭシンボルでレイヤーの多重化に用いられる多重化ＯＣＣは定められており、多数のＲＢがＵＥのために割り当てられても各ＲＢに同じ形態で多重化ＯＣＣが割り当てられるようになる。この場合、一ＵＥに伝送されるレイヤーは同一のスクランブリングシーケンスでスクランブリングされるので、図１２のようにＤＲＳが割り当てられる場合、特定ＯＦＤＭシンボルに伝送電力が偏重する現象が生じうる。このように特定ＯＦＤＭシンボルに電力が偏重する結果を招き、伝送電力を效率的に用いることができないという問題点がある。ＢＳの伝送電力は、時点にかかわらずに、最大伝送電力範囲内で一定に最大限用いられることが、ＢＳによるデータ伝送率を高めるのに好ましい。したがって、伝送電力が特定ＯＦＤＭシンボルに偏重しないように、すなわち、ＯＦＤＭシンボルにわたって均一な伝送電力分布を示すように、多重化ＯＣＣコードを適切に割り当てる必要がある。
【０１３３】
図１３は、ランク−２伝送においてＯＦＤＭシンボルにわたって伝送電力を均一に分布させる本発明の実施例を示す図である。
【０１３４】
図１３を参照すると、特定ＯＦＤＭシンボルにおいてＤＲＳシーケンス同士が相殺されたりＤＲＳシーケンスの和が過大になったりすることを防止するために、周波数ドメインあるいは時間ドメインで多重化ＯＣＣの割当位置をスワップ（ｓｗａｐ）またはシフト（ｓｈｉｆｔ）することができる。
【０１３５】
一方、図１４及び図１５は、ランク−２伝送でＤＲＳ  ＲＥ及びデータＲＥに対する電力割当例を示す図である。
【０１３６】
図１４を参照すると、伝送ランクが２の場合、ＢＳは２個のＤＲＳポートを通じて２個のレイヤー及び２個のＤＲＳを伝送することができる。この２個のレイヤーのプリコーディングに用いられたプリコーダは２個のＤＲＳのプリコーディングにも用いられるので、各レイヤーでデータＲＥ及びＤＲＳ  ＲＥ間の電力比は同一である。
【０１３７】
したがって、ＵＥはＢＳから別途の情報がシグナリングされなくても、各レイヤーにおけるデータＲＥとＤＲＳ  ＲＥ間の電力比がわかる。データＲＥとＤＲＳ  ＲＥ間の電力比は、各ＤＲＳポートが、データＲＥに割り当てられた信号とＤＲＳ  ＲＥに割り当てられた信号を同一の電力で伝送することによって、暗黙的にＵＥにシグナリングされるわけである。これによって、ランク−２伝送の場合には、レイヤー間の電力比が異なることもある。図１５に示すように、レイヤー０及びレイヤー１は互いに異なる電力で伝送されることができる。
【０１３８】
図１４及び図１５を参照すると、ＲＥ当たりのレイヤー別伝送電力の他、ＲＥ当たりの伝送電力も一定であることがわかる。すなわち、ランク−２伝送までは一サブフレーム内のＯＦＤＭシンボルにわたって電力が一定に分布することができる。しかし、ランク−３以上の伝送では、ＯＣＣの長及びＣＤＭグループの個数によって、データＲＥ当たりのレイヤーの個数とＤＲＳ  ＲＥ当たりのレイヤーの個数が一ＯＦＤＭシンボル内で異なってくることがある。例えば、図１０を参照すると、総４個のレイヤーがアンテナポート７〜１０に一対一に対応するとすれば、各データＲＥには４個のレイヤーが多重化されるが、各ＤＲＳ  ＲＥには２個のＤＲＳが多重化される。結局、ランク−３以上の伝送ではデータＲＥとＤＲＳ  ＲＥにおいてレイヤー当たりの伝送電力が異なることがある。このため、ランク−３以上の伝送では、ランク−２以下の伝送に比べて、サブフレーム内のＯＦＤＭシンボルに電力を均一に分布させることがより困難となりうる。したがって、ランク−３以上の伝送が可能なＬＴＥ−Ａシステムでは、ＯＦＤＭシンボル別に伝送電力が大きく変動することを防止するための、電力均衡化方案が要求される。
【０１３９】
以下では、一サブフレーム内のＯＦＤＭシンボルにわたって電力が均一に分布しうるように、ＤＲＳを割当／構成する方案を提示する。説明の便宜のために、最大８個のレイヤーを支援するために、２個のＣＤＭグループを使用する場合を例にして本発明を説明する。
【０１４０】
２個のＣＤＭグループを通じて８個のレイヤーに対するＤＲＳを伝送するために、図１５のように長さ４のＯＣＣ（ＯＣＣ＝４）を用いることができる。図１６は、アンテナポート１１〜１４に対応するレイヤーのためのＤＲＳが２個のＣＤＭグループに割り当てられる例を示す図である。図１０及び図１６を参照すると、アンテナポート７〜１４に対応するレイヤーのためのＤＲＳが２個のＣＤＭグループに４個ずつ多重化されて伝送されうることがわかる。
【０１４１】
図１７は、８個のＤＲＳを２個のＣＤＭグループに多重化する方法を示す図である。
【０１４２】
最大ランク８までのＭＩＭＯを支援するシステムでは、最大８個のＤＲＳシーケンスが２個のＣＤＭ（Ｃｏｄｅ  Ｄｉｖｉｓｉｏｎ  Ｍｕｌｔｉｐｌｅｘｉｎｇ）グループを通じて伝送されることができる。ＣＤＭグループ別に４個のＤＲＳが、長さ４の４個のＯＣＣシーケンスによって多重化されることができる。ＤＲＳｘ、ＤＲＳｙ、ＤＲＳｚ及びＤＲＳｗが伝送される仮想アンテナポートをそれぞれＤＲＳポートＸ、ＤＲＳポートＹ、ＤＲＳポートＺ及びＤＲＳポートＷとする。また、長さ４の４個のＯＣＣシーケンスは［１  １  １  １］、［１  −１  １  −１］、［１  １  −１  −１］及び［１  −１  −１  １］とする。これら４個のＯＣＣシーケンスは、図１７の４×４行列において行（ｒｏｗ）方向シーケンスに該当する。
【０１４３】
図１７を参照すると、ＤＲＳｘは、シーケンス［１  １  １  １］によって拡張され、ＤＲＳｙはシーケンス［１  −１  １  −１］によって拡張され、ＤＲＳｚはシーケンス［１  １  −１  −１］によって拡張され、ＤＲＳｗはシーケンス［１  −１  −１  １］によって拡張されて、ＣＤＭグループ１に割り当てられることができる。ＤＲＳｘ、ＤＲＳｙ、ＤＲＳｚ及びＤＲＳｗとは異なる４個のＤＲＳが［１  １  １  １］、［１  −１  １  −１］、［１  １  −１  −１］及び［１  −１  −１  １］によって拡張されてＣＤＭグループ２に割り当てられることができる。
【０１４４】
図１７のリソースブロック対は総４個のＤＲＳシンボル１〜４を含む。ＤＲＳシンボル１には、シーケンス［１  １  １  １］、［１  −１  １  −１］、［１  １  −１  −１］及び［１  −１  −１  １］によってそれぞれ拡張されたＤＲＳｘ、ＤＲＳｙ、ＤＲＳｚ及びＤＲＳｗの一部が割り当てられる。例えば、ＤＲＳｘは［１  １  １  １］によって［１  １  １  １］×ＤＲＳｘ＝［ＤＲＳｘ  ＤＲＳｘ  ＤＲＳｘ  ＤＲＳｘ］に拡張され、ＤＲＳｙは［１  −１  １  −１］によって［１  −１  １  −１］×ＤＲＳｙ＝［ＤＲＳｙ  −ＤＲＳｙ  ＤＲＳｙ  −ＤＲＳｙ］に拡張され、ＤＲＳｚは［１  １  −１  −１］によって［１  １  −１  −１］×ＤＲＳｚ＝［ＤＲＳｚ  ＤＲＳｚ  −ＤＲＳｚ  −ＤＲＳｚ］に拡張され、ＤＲＳｗは［１  −１  −１  １］によって［１  −１  −１  １］×ＤＲＳｗ＝［ＤＲＳｗ  −ＤＲＳｗ  −ＤＲＳｗ  ＤＲＳｗ］に拡張されることができる。これら拡張されたＤＲＳシーケンスにおいて、例えば、第１番目の元素であるＤＲＳｘ、ＤＲＳｙ、ＤＲＳｚ及びＤＲＳｗはＤＲＳシンボル１に割り当てられ、第２番目の元素であるＤＲＳｘ、−ＤＲＳｙ、ＤＲＳｚ及び−ＤＲＳｗはＤＲＳシンボル２に割り当てられ、第３番目の元素であるＤＲＳｘ、ＤＲＳｙ、−ＤＲＳｚ及び−ＤＲＳｗはＤＲＳシンボル３に割り当てられ、第４番目の元素であるＤＲＳｘ、−ＤＲＳｙ、−ＤＲＳｚ及びＤＲＳｗはＤＲＳシンボル４に割り当てられることができる。すなわち、ＤＲＳシンボル１には（１×ＤＲＳｘ）＋（１×ＤＲＳｙ）＋（１×ＤＲＳｚ）＋（１×ＤＲＳｗ）の成分が割り当てられ、ＤＲＳシンボル２には（１×ＤＲＳｘ）＋（−１×ＤＲＳｙ）＋（１×ＤＲＳｚ）＋（−１×ＤＲＳｗ）の成分が割り当てられ、ＤＲＳシンボル３には（１×ＤＲＳｘ）＋（１×ＤＲＳｙ）＋（−１×ＤＲＳｚ）＋（−１×ＤＲＳｗ）の成分が割り当てられ、ＤＲＳシンボル４には（１×ＤＲＳｘ）＋（−１×ＤＲＳｙ）＋（−１×ＤＲＳｚ）＋（１×ＤＲＳｗ）の成分が割り当てられることができる。
【０１４５】
要するに、４個のＤＲＳは２個のＣＤＭグループに次のように直交カバーコードを用いてＤＲＳ  ＲＥに割り当てられることができる。
【０１４６】
【数３】
2011193467.tif 000039
ここで、列ベクトルａ、ｂ、ｃ及びｄは、複数のＤＲＳが一ＲＥに多重化される時に各ＤＲＳに乗じられる係数で構成された多重化ＯＣＣを表す。行ベクトルｘ、ｙ、ｚ及びｗは、一ＤＲＳを拡散させる拡散ＯＣＣを表す。以下では、説明の便宜のために、一ＲＥに複数のＤＲＳが多重化された形態を、各ＤＲＳに乗じられる重みを表す多重化ＯＣＣで一ＲＥに多重化されたＤＲＳで表現して、本発明を説明する。
【０１４７】
参考として、無線通信システムにおいて図１１によるＤＲＳ多重化と図１７によるＤＲＳ多重化は同時に用いられることもでき、いずれか一方のみ用いられることもできる。例えば、図１１のＤＲＳ多重化方式は、ＢＳが１〜４個のレイヤーを多重化して伝送する場合に用いられ、図１７によるＤＲＳ多重化方式は、ＢＳが５〜８個のレイヤーを多重化して伝送する場合に用いられることができる。他の例として、ＢＳが図１７のＤＲＳ多重化方式を用いて１〜８個のレイヤーを多重化して伝送することも可能である。ただし、前者の場合には、ＢＳが伝送するレイヤーの総個数によってＯＣＣの長さが変わるので、ＵＥがＯＣＣを用いて自身のレイヤーを検出するためには、ＢＳが伝送するレイヤーの総個数あるいはレイヤーの多重化に用いられたＯＣＣの長さを表す情報が、暗黙的であれ明示的であれ、当該ＵＥにシグナリングされなければならない。
【０１４８】
以下では、シナリオに応じて、ＯＦＤＭシンボルにわたって伝送電力が均一に分布するようにＤＲＳを割り当てる、本発明の実施例を説明する。
【０１４９】
＜１  ＣＤＭグループ及びＯＣＣ＝４の割当＞
図１８乃至図２２は、１個のＣＤＭグループに長さ４のＯＣＣでＤＲＳを多重化する本発明の実施例を示す図である。
【０１５０】
−実施例１−
図１８を参照すると、全てのＲＢ内のＤＲＳ副搬送波で同じ順序で４個の多重化ＯＣＣが４個のＤＲＳ  ＯＦＤＭシンボルに割り当てられることができる。ただし、この場合、一ＤＲＳ  ＯＦＤＭシンボルの観点では４個のＯＣＣのうちの１個のＯＣＣのみが用いられるから、一ＤＲＳ  ＯＦＤＭシンボルに電力が偏重する結果を招く。一ＣＤＭグループに長さ４の４個の多重化ＯＣＣを割り当てる場合、次のような実施例２乃至実施例５を、ＯＦＤＭシンボル電力の均一な分布のために考慮することができる。
【０１５１】
−実施例２−
図１９を参照すると、一スロット内でＯＣＣグループ（ａ，ｂ）が、ＤＲＳ副搬送波に従ってスワップされながら割り当てられ、他のスロット内でＯＣＣグループ（ｃ，ｄ）がＤＲＳ副搬送波に従ってスワップされながら割り当てられることができる。すなわち、実施例２は、一スロット内のＤＲＳ副搬送波で［ａ  ｂ］順にＯＣＣを割り当てると、次のＤＲＳ副搬送波では［ａ  ｂ］の逆順である［ｂ  ａ］としてＯＣＣを割り当てる。本実施例２によれば、一スロット内でＤＲＳ副搬送波が変わるに従って２個のＯＣＣを順方向→逆方向→順方向→逆方向→順方向→逆方向の順に割り当てる。これにより、ＯＣＣの割当パターンは、１対の連続するＲＢごとに同一になる。したがって、所定のＵＥのために多数のＲＢが割り当てられても、２個のＰＲＢごとに同一のパターンでＯＣＣが割り当てられる。ただし、実施例２によってＯＣＣを割り当てる場合、一ＤＲＳ  ＯＦＤＭシンボルの観点では、４個のＯＣＣのうちの２個のＯＣＣのみが用いられる。また、一ＲＢの観点からも、一ＲＢで２個のＯＣＣのみが用いられる。すなわち、一サブフレーム内にＯＣＣが均一に分布しない。このような理由から、実施例２によってＯＣＣを割り当てる場合、一サブフレーム内で全てのＯＦＤＭシンボルにわたって電力が均一に分布する結果は得難い。
【０１５２】
−実施例３−１−
一ＯＦＤＭシンボル上で全てのＯＣＣが存在するように、実施例３−１は、一ＲＢ内の２スロットに割り当てられたＯＣＣパターンを、次のＲＢでスワップして割り当てる。図２０（ａ）を参照すると、一ＲＢ内に全てのＯＣＣが割り当てられるのではないが、一ＯＦＤＭシンボル内では全てのＯＣＣが存在する。したがって、実施例３−１は、実施例２に比べて、一サブフレーム内のＯＦＤＭシンボルにわたって均一な電力分布を得ることができる。
【０１５３】
ただし、実施例３−１は、一ＲＢには一部のＯＣＣのみが割り当てられるので、周波数ドメイン観点では、ＲＢインデックスの変化に従って電力が上下することになる。
【０１５４】
−実施例３−２−
ＲＢレベルでＯＣＣが均一に分布するように、実施例３−２は、一サブフレーム内でＤＲＳ副搬送波に従って４個のＯＣＣの方向を替えながら割り当てる。図２０（ｂ）を参照すると、実施例３−２は、一サブフレーム内で最初のＤＲＳ副搬送波にＯＣＣを［ａ  ｂ  ｃ  ｄ］順に割り当てると、次のＤＲＳ副搬送波には［ａ  ｂ  ｃ  ｄ］の逆順である［ｄ  ｃ  ｂ  ａ］の順に割り当て、その次のＤＲＳ副搬送波には、以前ＤＲＳ副搬送波に割り当てられたＯＣＣパターンの逆順にＯＣＣを割り当てる。
【０１５５】
実施例３−２によれば、一スロット内に全てのＯＣＣが割り当てられるという長所がある。ただし、実施例３−２によると、一ＤＲＳ  ＯＦＤＭシンボル上に２個のＯＣＣのみが反復される。
【０１５６】
−実施例４−
一ＲＢ及び一ＤＲＳ  ＯＦＤＭシンボルでＯＣＣが均一に分布するように、本発明の実施例４は、ＯＣＣ（ａ、ｂ、ｃ、ｄ）をＤＲＳ副搬送波に従って巡回シフト（ｃｙｃｌｉｃ  ｓｈｉｆｔ）しながら一ＣＤＭグループに割り当てることができる。図２１を参照すると、一サブフレーム内のＲＢ＃ｎの最初のＤＲＳ副搬送波には［ａ  ｂ  ｃ  ｄ］の順にＯＣＣが割り当てられる。次のＤＲＳ副搬送波ではＯＣＣがスワップされて［ｂ  ｃ  ｄ  ａ］の順に割り当てられ、その次の副搬送波では［ｃ  ｄ  ａ  ｂ］の順に割り当てられる。
【０１５７】
本発明の実施例４によれば、一ＤＲＳ  ＯＦＤＭシンボルの他に、一ＲＢにも全てのＯＣＣが割り当てられる。ただし、実施例４によっても、一ＲＢ内の一ＤＲＳ  ＯＦＤＭシンボルに４個のＯＣＣを割り当てることはできない。一ＲＢ内の一ＤＲＳ  ＯＦＤＭシンボルでは、３個のＤＲＳ  ＲＥのみが利用可能なわけである。
【０１５８】
−実施例５−
各ＤＲＳ  ＯＦＤＭシンボルで複数のＲＢにわたってＯＣＣが均等に分布するように、本発明の実施例５では、ＯＣＣを、各ＤＲＳ  ＯＦＤＭシンボル内のＤＲＳ  ＲＥに従って巡回シフトして割り当てる。図２２を参照すると、一サブフレーム内の４個のＤＲＳ  ＯＦＤＭシンボルはＤＲＳを含み、各ＯＦＤＭシンボルでＲＢごとに３個のＤＲＳ  ＲＥが用いられることができる。一ＯＦＤＭシンボル内で最初に割り当てられるＯＣＣである開始ＯＣＣは、ＯＦＤＭシンボルインデックスによって変化することによって、一サブフレーム内の一ＤＲＳ副搬送波上に全てのＯＣＣが位置する。
【０１５９】
＜２  ＣＤＭグループ及びＯＣＣ＝４の割当＞
図２３乃至図３０は、２個のＣＤＭグループに長さ４のＯＣＣでＤＲＳを多重化する本発明の実施例を示す図である。２個のＣＤＭグループのそれぞれに、長さ４の４個の多重化ＯＣＣを割り当てる場合、下記のような実施例を、ＯＦＤＭシンボル電力の均一な分布のために考慮することができる。下記の実施例６乃至実施例８は、前述した実施例１乃至実施例５のいずれかと結合して用いることができる。
【０１６０】
−実施例６−
２個のＣＤＭグループのそれぞれに４個のＯＣＣを割り当てる最も簡単な方法は、１個のＣＤＭグループ内のＯＣＣ割当パターンを次のＤＭグループにも反復することである。例えば、図２１及び図２３を参照すると、実施例４がＣＤＭグループ１に採択されるとすれば、ＣＤＭグループ１にＯＣＣが割り当てられたパターンと同一のパターンでＯＣＣがＣＤＭグループ２にも割り当てられることができる。
【０１６１】
一方、隣接する２個のＤＲＳ副搬送波に、実施例５によってＯＣＣを割り当てると、ＣＤＭグループ１及びＣＤＭグループ２に対する拡散ＯＣＣとＤＲＳポートは、例えば、次のような対応関係を有する。
【０１６２】
【表３】
2011193467.tif 000040
表３で、ＤＲＳポートは、アンテナポートのうち、ＤＲＳを伝送する仮想アンテナポートを表す。これらＤＲＳポートは、レイヤーに一対一に対応する。例えば、アンテナポート７〜１４はＤＲＳポート０〜７に対応することができる。表３で、ＤＲＳポート０〜ＤＲＳポート７は、レイヤー０〜レイヤー７に一対一に対応することができる。この場合、ＤＲＳポート別拡散ＯＣＣはレイヤー別拡散ＯＣＣとなる。各ＤＲＳポート（あるいは、各レイヤー）に対するＤＲＳは、［ｗｐ（０）  ｗｐ（１）  ｗｐ（２）  ｗｐ（３）］によって拡張されて、該当のＣＤＭグループ内のＤＲＳ副搬送波上の４個の連続したＤＲＳ  ＲＥごとにマッピングされる。
【０１６３】
各ＣＤＭグループを基準に、２個のＤＲＳ副搬送波で該当のＣＤＭグループに割り当てられたＤＲＳポート及び該当のＤＲＳポートに対応するレイヤーの拡散に用いられた直交カバーコードを整理すると次のとおりである。
【０１６４】
【表４】
2011193467.tif 000041
表４で、ｗｐ（ｌ’）は、ＤＲＳ  ＯＦＤＭシンボルｌ’で、一レイヤーに乗じられる重みを意味する。一ＣＤＭグループに割り当てられたＤＲＳポートの重みで構成されたベクトルを多重化ＯＣＣと見なすことができる。例えば、表４を参照すると、ＣＤＭグループ１に割り当てられたＤＲＳポート０、１、４、６に対するｗｐ（０）と、ＣＤＭグループ２に割り当てられたＤＲＳポート２、３、５、７に対するｗｐ（０）は、＋１、＋１、＋１、＋１であるから、ＣＤＭグループ１の開始ＤＲＳ副搬送波内の開始ＤＲＳ  ＯＦＤＭに割り当てられた多重化ＯＣＣは、［＋１  ＋１  ＋１  ＋１］であるａに該当する。図２３を参照すると、各ＣＤＭグループの開始ＤＲＳ副搬送波内の４個のＤＲＳ  ＯＦＤＭシンボルには、多重化ＯＣＣが［ａ  ｂ  ｃ  ｄ］の順に割り当てられる。
【０１６５】
−実施例７−
実施例７は、第一のＣＤＭグループに対するＯＣＣ割当パターンをスロット方向（ｓｌｏｔ−ｗｉｓｅ）に、２個のＯＣＣずつ巡回シフトして第二のＣＤＭグループに割り当てる。図２４（ａ）を参照すると、ＣＤＭグループ１には、実施例４によってＯＣＣ（ａ、ｂ、ｃ、ｄ）がＤＲＳ副搬送波に従って１個のＯＣＣずつ巡回シフトしつつ割り当てられる。ＣＤＭグループ２の各ＤＲＳ副搬送波には、ＣＤＭグループ１の隣接ＤＲＳ副搬送波に割り当てられたＯＣＣパターンがスロット方向に２個のＯＣＣずつ巡回シフトして割り当てられる。実施例７によれば、ＤＲＳ  ＯＦＤＭシンボルに割り当てられる一ＣＤＭグループに対する開始ＯＣＣパターンが［ａ  ｂ  ｃ  ｄ］であれば、他のＣＤＭグループに対する開始ＯＣＣパターンは［ｃ  ｄ  ａ  ｂ］となる。
【０１６６】
−実施例８−
実施例８は、第一のＣＤＭグループに対するＯＣＣ割当パターンをスロット方向（ｓｌｏｔ−ｗｉｓｅ）に、１個のＯＣＣずつスワップして第二のＣＤＭグループに割り当てる。図２５（ａ）を参照すると、ＣＤＭグループ１には、実施例４によってＯＣＣ（ａ、ｂ、ｃ、ｄ）がＤＲＳ副搬送波に従って１個のＯＣＣずつ巡回シフトしながら割り当てられる。ＣＤＭグループ２の各副搬送波にはＣＤＭグループ１の隣接ＤＲＳ副搬送波に割り当てられたＯＣＣパターンがスロット方向に１個のＯＣＣずつ巡回シフトして割り当てられる。実施例８によれば、ＤＲＳ  ＯＦＤＭシンボルに割り当てられる一ＣＤＭグループに対する開始ＯＣＣパターンが［ａ  ｂ  ｃ  ｄ］であれば、他のＣＤＭグループに対する開始ＯＣＣパターンは［ｄ  ａ  ｂ  ｃ］となる。
【０１６７】
図２４（ａ）及び図２５（ａ）で、２個のＣＤＭグループに割り当てられたＯＣＣパターンは、２個のＣＤＭグループで互いにスワップ可能である。図２４（ｂ）及び図２５（ｂ）は、図２４（ａ）及び図２５（ａ）のＣＤＭグループ１のＯＣＣ割当パターンとＣＤＭグループ２のＯＣＣ割当パターンを互いにスワップした実施例をそれぞれ示す図である。
【０１６８】
上記の実施例１乃至実施例８で、スクランブリングシーケンスは、全てのＤＲＳポートに対して同一であっても良く、ＤＲＳポートグループ及び／または各ＤＲＳポート別に異なっていても良い。
【０１６９】
実施例６乃至実施例８に関する図２３乃至図２５は、実施例４によって第一のＣＤＭグループにＯＣＣが割り当てられた場合（図２１に該当）を例にして、実施例６乃至実施例８によって２個のＣＤＭグループにＯＣＣを割り当てる方法を例示したものである。実施例５によって第一のＣＤＭグループにＯＣＣが割り当てられるとすれば、実施例６乃至実施例８によって２個ＣＤＭグループに割り当てられたＯＣＣパターンは、例えば、図２６乃至図２８のように示すことができる。図２６乃至図２８に示された、ＣＤＭグループ１のＯＣＣ割当パターンとＣＤＭグループ２のＯＣＣ割当パターンは互いにスワップすることができる。
【０１７０】
一方、実施例７は、２個のＣＤＭグループにＯＣＣを割り当てる際に、一ＣＤＭグループの一ＤＲＳ副搬送波に［ａ  ｂ  ｃ  ｄ］の順にＯＣＣを割り当てる場合、該ＤＲＳ副搬送波に隣接する他のＣＤＭグループのＤＲＳ副搬送波には２個分のＯＣＣをシフトした［ｃ  ｄ  ａ  ｂ］の順に割り当てる。実施例８は、２個のＣＤＭグループにＯＣＣを割り当てる際に、一ＣＤＭグループの一ＤＲＳ副搬送波に［ａ  ｂ  ｃ  ｄ］の順にＯＣＣを割り当てる場合、該ＤＲＳ副搬送波に隣接する他のＣＤＭグループのＤＲＳ副搬送波には、１個分のＯＣＣをシフトした［ｂ  ｃ  ｄ  ａ］の順に割り当てる。すなわち、実施例７と実施例８は、隣接する２つのＤＲＳ副搬送波に割り当てられたＯＣＣは、所定の個数分のオフセットを有する。これをＯＣＣオフセットとすれば、実施例６は、ＯＣＣオフセットが０であり、実施例７は、ＯＣＣオフセットが２であり、実施例８は、ＯＣＣオフセットが１であるといえる。ＣＤＭグループ１に、開始ＤＲＳ副搬送波にＯＣＣが［ａ  ｂ  ｃ  ｄ］の順に割り当てられると仮定し、実施例６乃至実施例８によってＯＣＣを割り当てる方法を再び示すと、図２９のようになる。図２９で、オフセット−Ｎは、ＣＤＭグループのＯＣＣが互いにＮ個分の差を有するということを意味する。特に、図２９は、Ｎが２の場合を示している。実施例８に関する図２８では、ＣＤＭグループ１のＯＣＣパターンが左側に１個分の差を有するようにしてＣＤＭグループ２に割り当てられた場合を示す。しかし、図３０に示すように、ＣＤＭグループ１のＯＣＣパターンが右側に１個、すなわち、左側に３個分の差を有するようにしてＣＤＭグループ２に割り当てられることもできる。ＯＣＣオフセットが２の場合、左右いずれの側にシフトしても同一の結果が得られる。
【０１７１】
一方、第一のＣＤＭグループに対する第２のＣＤＭグループのＯＣＣオフセットは、固定した値にしても良く、ＢＳによって構成された値にしても良い。また、ＯＣＣをより均一に分布させうるように、周波数位置によってＯＣＣオフセットが変わるように定義することも可能である。また、ＯＣＣオフセットがランク及び／または伝送モードによって変わるように定義することも可能である。
【０１７２】
第一のＣＤＭグループの一ＤＲＳ副搬送波に割り当てられたＯＣＣパターンと、該ＤＲＳ副搬送波に隣接する第二のＣＤＭグループのＤＲＳ副搬送波に割り当てられたＯＣＣパターンとが、所定大きさのオフセットを有するように割り当てる実施例は、第一のＣＤＭグループにＯＣＣがどのように割り当てられるかにかかわらずに適用することができる。すなわち、実施例６乃至実施例８では、第一のＣＤＭグループに実施例４によってＯＣＣが割り当てられる場合を仮定し、両ＣＤＭグループ間に所定のＯＣＣを持つようにＯＣＣを割り当てる実施例を説明したが、実施例１乃至実施例５にも同様な適用が可能である。
【０１７３】
２つのＣＤＭグループ間に所定のＯＣＣオフセットを持つようにＯＣＣを割り当てる本発明の実施例によれば、隣接する２個のＤＲＳ副搬送波に割り当てられた、ＣＤＭグループ１及びＣＤＭグループ２に対する拡散ＯＣＣとＤＲＳポートとの対応関係は、例えば、次のように表現することができる。表５には、オフセットが２である場合を例示する。
【０１７４】
【表５】
2011193467.tif 000042
各ＣＤＭグループを基準に、２個のＤＲＳ副搬送波で該当のＣＤＭグループに割り当てられたＤＲＳポート及び該当のＤＲＳポートに対応するレイヤーの拡散に用いられた直交カバーコードを再び整理すると次のとおりである。
【０１７５】
表５で、ＤＲＳポート０〜ＤＲＳポート７は、レイヤー０〜レイヤー７に一対一に対応することができる。この場合、ＤＲＳポート別拡散ＯＣＣは、レイヤー別拡散ＯＣＣとなる。
【０１７６】
【表６】
2011193467.tif 000043
表５及び表６で、ｗｐ（ｌ’）は、ＤＲＳ  ＯＦＤＭシンボルｌ’で一レイヤーに乗じられる重みを意味する。一ＤＲＳポートのＤＲＳは、拡散ＯＣＣ［ｗｐ（０）  ｗｐ（１）  ｗｐ（２）  ｗｐ（３）］に拡張され、一サブフレーム内の４個のＤＲＳ  ＯＦＤＭシンボルに該当する。一方、一ＣＤＭグループに割り当てられたＤＲＳポートの重みで構成されたベクトルを、多重化ＯＣＣと見なすことができる。例えば、表６を参照すると、ＣＤＭグループ１に割り当てられたＤＲＳポート０、１、４、６に対するｗｐ（０）は、＋１、＋１、＋１、＋１であるから、ＣＤＭグループ１の開始ＤＲＳ副搬送波内の開始ＤＲＳ  ＯＦＤＭに割り当てられた多重化ＯＣＣは［＋１  ＋１  ＋１  ＋１］であるａに該当する。ＣＤＭグループ２に割り当てられたＤＲＳポート２、３、５、７に対するｗｐ（０）は、＋１、＋１、−１、−１であるから、ＣＤＭグループ２の開始ＤＲＳ副搬送波内の開始ＤＲＳ  ＯＦＤＭに割り当てられた多重化ＯＣＣは、［＋１  ＋１  ＋１  ＋１］であるｃに該当する。
【０１７７】
図３１は、２個のＣＤＭグループ間に所定のＯＣＣオフセットを持つようにＯＣＣを割り当てる本発明の実施例による他の例を示す図である。特に、図３１（ａ）は、一ＣＤＭグループに実施例１（図１８参照）によってＯＣＣが割り当てられる時、他のＣＤＭグループにＯＣＣオフセットが２となるようにＯＣＣが割り当てられた場合を例示しており、図３１（ｂ）は、一ＣＤＭグループに実施例４（図２０（ｂ）参照）によってＯＣＣが割り当てられる時、他のＣＤＭグループにＯＣＣオフセットが２となるようにＯＣＣが割り当てられた場合を例示している。
【０１７８】
図３１（ａ）を参照すると、ＣＤＭグループ１に属する各ＤＲＳ副搬送波には、ａを開始ＯＣＣとして、［ａ  ｂ  ｃ  ｄ］が順に割り当てられる。ＣＤＭグループ２に属する各副搬送波には、ＣＤＭグループ１のＤＲＳに割り当てられたＯＣＣパターン［ａ  ｂ  ｃ  ｄ］とオフセットが２である［ｃ  ｄ  ａ  ｂ］が順に割り当てられる。これは、下記の数学式で表現することができる。
【０１７９】
【数４】
2011193467.tif 000044
ここで、ｗｐ（ｉ）は、表５のように与えられる。ｋ’＝０は、ＣＤＭグループ１に割り当てられるＤＲＳポートを表し、ｋ’＝１は、ＣＤＭグループ２に割り当てられるＤＲＳポートを表す。ＤＲＳポート０〜７は、図１０及び図１６のアンテナポート７〜１４に該当することができる。
【０１８０】
実施例１によって一ＣＤＭグループにＯＣＣを割り当てる場合、一ＤＲＳ  ＯＦＤＭシンボル上にはＣＤＭグループ別に１つのＯＣＣのみが割り当てられるので、２個のＣＤＭグループに対しては一ＤＲＳ  ＯＦＤＭシンボル上で２個のＯＣＣのみが用いられる。したがって、２個のＣＤＭグループに対して一ＤＲＳ  ＯＦＤＭシンボル上に全てのＯＣＣが存在するように、図３１（ｂ）のようにＯＣＣを割り当てることができる。
【０１８１】
図３１（ｂ）を参照すると、ＣＤＭグループ１に属する一ＤＲＳ副搬送波には、ａを開始ＯＣＣとして［ａ  ｂ  ｃ  ｄ］が順に割り当てられ、次のＤＲＳ副搬送波には、［ａ  ｂ  ｃ  ｄ］の逆順である［ｄ  ｃ  ｂ  ａ］の順にＯＣＣが割り当てられる。すなわち、一ＤＲＳ副搬送波に割り当てられたＯＣＣ順序と次のＤＲＳ副搬送波に割り当てられたＯＣＣの順序とが逆順の関係にある。一方、ＣＤＭグループ２に属する各ＤＲＳ副搬送波には、ＣＤＭグループ１に属する副搬送波のうち、隣接するＤＲＳ副搬送波に割り当てられたＯＣＣパターンと２だけのオフセットを持つようにＯＣＣが割り当てられる。例えば、ＣＤＭグループ１のＤＲＳ副搬送波に［ａ  ｂ  ｃ  ｄ］の順にＯＣＣが割り当てられると、ＣＤＭグループ２の隣接ＤＲＳ副搬送波には［ｃ  ｄ  ａ  ｂ］の順にＯＣＣが割り当てられる。ＣＤＭグループ１のＤＲＳ副搬送波に［ｄ  ｃ  ｂ  ａ］の順にＯＣＣが割り当てられると、これと隣接するＣＤＭグループ２のＤＲＳ副搬送波には、［ｂ  ａ  ｄ  ｃ］の順にＯＣＣが割り当てられる。本実施例によれば、ＣＤＭグループ１では、［ａ  ｂ  ｃ  ｄ］と［ｄ  ｃ  ｂ  ａ］がＤＲＳ副搬送波が変わる度に交互に割り当てられ、ＣＤＭグループ２では、［ｃ  ｄ  ａ  ｂ］と［ｂ  ａ  ｄ  ｃ］がＤＲＳ副搬送波が変わる度に交互に割り当てられる。
【０１８２】
これは、下記の数学式５で表現することができる。
【０１８３】
【数５】
2011193467.tif 000045
ここで、ｗｐ（ｉ）は、表５のように与えられる。ｋ’＝０は、ＣＤＭグループ１に割り当てられるＤＲＳポートを表し、ｋ’＝１は、ＣＤＭグループ２に割り当てられるＤＲＳポートを表す。ＤＲＳポート０〜７は、図１０及び図１６のアンテナポート７〜１４に該当することができる。
【０１８４】
実施例３−２によって一ＣＤＭグループにＯＣＣを割り当て、他のグループには一ＣＤＭグループと２個のオフセットを持つようにＯＣＣを割り当てると、２個のＣＤＭグループに対して一ＤＲＳ  ＯＦＤＭシンボル上で４個のＯＣＣが全部用いられることができる。
【０１８５】
一方、ＣＤＭグループ間に所定のＯＣＣオフセットを持つようにＯＣＣが割り当てられる場合、互いに異なるＣＤＭグループに属する２個の隣接ＤＲＳ副搬送波に割り当てられうるＯＣＣ対は、ＤＲＳ  ＯＦＤＭシンボル当たり２個に制限される。例えば、図３１を参照すると、ＯＣＣオフセットが２であれば、互いに異なるＣＤＭグループに属する、一ＤＲＳ  ＯＦＤＭシンボル内の２個の隣接ＤＲＳ副搬送波に割り当てられうるＯＣＣ対は、（ａ，ｃ）及び（ｂ，ｄ）のみである。
【０１８６】
図３２乃至図３８は、本発明の実施例によって、２個のＣＤＭグループが所定のＯＣＣオフセットを持つようにＯＣＣが割り当てられる時のメリットを説明するための図である。
【０１８７】
８個のＤＲＳポートが８個のレイヤーに一対一に対応して該当のレイヤー及びＤＲＳを伝送するとする。図３２に示すように、２個のＣＤＭグループにＯＣＣが割り当てられるとする。図３２のようにＯＣＣがマッピングされると、全てのレイヤーに共通のスクランブリングシーケンスが適用される場合、特定のＯＦＤＭシンボルで電力が上がったり、所定のＯＦＤＭシンボルのＤＲＳ副搬送波でＤＲＳ信号が相殺されることで該所定のＯＦＤＭシンボルの電力が下がるという問題が生じる。
【０１８８】
レイヤーｍ（ｌａｙｅｒ  ｍ）に対応するＤＲＳポートをＤＲＳポートｍとすれば、図３２のように多重化ＯＣＣが割り当てられる場合、各レイヤーは、図３３（ａ）のように拡散されることができる。図３３で、ｓｉは、一サブフレーム内のＤＲＳ  ＯＦＤＭシンボル位置を表す。一レイヤーの観点では、ｓｉ、ｉ＋１、ｓｉ＋２及びｓｉ＋３がいずれも同一値を有する。図３３で、ＣＤＭ＃１はＣＤＭグループ１を表し、ＣＤＭ＃２はＣＤＭグループ２を表す。
【０１８９】
図３３を参照すると、該当の拡散ＯＣＣによって拡散された各レイヤーのＤＲＳは、プリコーダ３０４によりプリコーディング行列Ｗと乗じられて、送信アンテナ＃０乃至アンテナ＃７に対応するリソース要素マッパー３０５に分配される。これを数学式にすると、次のとおりである。
【０１９０】
【数６】
2011193467.tif 000046
図３３（ｂ）を参照すると、送信アンテナ＃０は、ＤＲＳ  ＯＦＤＭシンボル０で非常に高い電力を必要とし、送信アンテナ＃４は、ＤＲＳ  ＯＦＤＭシンボル２で非常に高い電力を必要とすることがわかる。一サブフレーム内の二つのＰＲＢに対して、アンテナ＃０に割り当てられたＯＦＤＭシンボル間の電力比は図３４のように計算される。図３４は、データＲＥに割り当てられた電力を１とし、二つのＰＲＢにわたってＯＦＤＭシンボルに従ってＲＥ当たりの電力を計算したものである。図３４を参照すると、アンテナ＃０では、最初のＤＲＳ  ＯＦＤＭシンボルでピーク電力が発生し、残りのＤＲＳ  ＯＦＤＭシンボルでは電力が割り当てられず、ＤＲＳの割り当てられないＯＦＤＭシンボルに比べて電力が低くなることがわかる。
【０１９１】
一方、本発明によって２つのＣＤＭグループ間に所定のオフセットを持つようにＯＣＣが割り当てられる場合、例えば、図３１（ａ）のようにＯＣＣが割り当てられる場合、アンテナ＃０〜アンテナ＃７に分配されるＤＲＳは、次のように表すことができる。
【０１９２】
【数７】
2011193467.tif 000047
数学式７によって分配されたアンテナ特定シンボルのうち、アンテナ＃０に分配されたシンボルに対する電力を、一サブフレーム内の２個のＲＢ区間で表すと、図３５のようになりうる。電力が−３．０１ｄＢ〜３．９８ｄＢの範囲でＯＦＤＭシンボル電力が変化する図３４に比べて、図３１（ａ）によれば、ＯＦＤＭシンボルに従う電力変化が−３．０１ｄＢ〜２．２ｄＢの範囲と減ることがわかる。数学式７によって分配されたアンテナ特定シンボルのうち、アンテナ＃０に分配されたシンボルに対する電力を、一サブフレーム内の１個のＲＢ区間で表すと、図３６のようになりうる。
【０１９３】
一方、図３１（ｂ）のようにＯＣＣが割り当てられると、図３６に示すように、電力をＯＦＤＭシンボルにわたってより均一に分布させることができる。
−実施例９−
一方、位相（ｐｈａｓｅ）オフセットが電力不均衡の解消のために用いられることができる。ＣＤＭグループのうちの少なくとも一つに位相オフセットを適用してＯＦＤＭシンボル間の電力均衡化を図る本発明の実施例９は、ＯＣＣオフセットを適用して電力不均衡を解消する前述の実施例のうちのいずれか一つと結合して用いることができる。あるいは、ＯＣＣオフセットを適用することなく、位相オフセットのみを用いることもできる。
【０１９４】
図３７及び図３８は、位相オフセットを用いた本発明の実施例を示す図である。
【０１９５】
図３７は、ＯＣＣオフセットを使用せずに、すなわち、ＯＣＣオフセットを０にし、ＣＤＭグループ２にのみ２個の位相オフセットを交互に適用した例を示す図である。図３７（ａ）を参照すると、ＤＲＳ副搬送波に従って、２通りの位相オフセットθａとθｂが、ＣＤＭグループ２に多重化されるＤＲＳに交互に乗じられる。
【０１９６】
図３８は、ＯＣＣオフセットを２にし、ＣＤＭグループ２に２個の位相オフセットを交互に適用した例を示す図である。特に、図３８は、図３１（ｂ）のようにＯＣＣが割り当てられ、２通りの位相オフセットθａとθｂが、ＤＲＳ副搬送波に従って、ＣＤＭグループ２に多重化されるＤＲＳに交互に乗じられた場合を表す。
【０１９７】
例えば、θａ及びθｂがそれぞれ０及びπである場合、図３７（ｂ）及び図３８（ｂ）のように、ＣＤＭグループ２に多重化されるＤＲＳには、ＤＲＳ副搬送波に従って、１と−１が交互に乗じられる。
【０１９８】
−実施例１０−
位相オフセットを適用する例で、ＤＲＳポート別に異なる位相オフセットを適用することも可能である。実施例９は、一ＣＤＭグループに割り当てられた全てのＤＲＳポートに、ＤＲＳ副搬送波別に同一の位相オフセットを適用するのに対し、実施例１０は、ＤＲＳポート別に異なる位相オフセットを適用する。すなわち、本発明の実施例１０によれば、同一のＤＲＳ副搬送波上でレイヤー別に異なる位相オフセットが乗じられるようになる。また、本発明の実施例１０では、同一の拡散ＯＣＣで拡散されるレイヤーと該当のＤＲＳは同一の位相オフセットを適用する。参考として、本発明の実施例１０で位相オフセットは、所定個数のＲＢごとに同一のＯＣＣパターンが反復されるように、所定個数のＲＢに属するＤＲＳ副搬送波の個数と位相オフセットとの積が２の整数倍となるように定義されることができる。
【０１９９】
図３９は、ＤＲＳポート別ＤＲＳ副搬送波に従う位相オフセットを例示する図である。特に、図３９は、各ＤＲＳポートのレイヤー及びＤＲＳが、表３に示す拡散ＯＣＣによって拡散される場合を例示する。図３９で副搬送波０、５、１０は、一ＲＢに属する副搬送波の論理インデックスで、ＤＲＳ副搬送波０、１、２に対応する。
【０２００】
図３９を参照すると、ＤＲＳポート０及び２に該当するレイヤーとＤＲＳには、ＣＤＭグループによらずに同一のパターンで位相オフセットが適用され、ＤＲＳポート１及び３に該当するレイヤーとＤＲＳには、ＣＤＭグループによらずに同一のパターンで位相オフセットが適用され、ＤＲＳポート４及び５に該当するレイヤーとＤＲＳには、ＣＤＭグループによらずに同一のパターンで位相オフセットが適用され、ＤＲＳポート６及び７に該当するレイヤーとＤＲＳには、ＣＤＭグループによらずに同一のパターンで位相オフセットが適用される。図３９（ａ）を参照すると、各ＤＲＳポートに対して、ＤＲＳ副搬送波間の位相オフセットは０であり、図３９（ｂ）を参照すると、各ＤＲＳポートに対して、ＤＲＳ副搬送波間の位相オフセットはπである。図３９（ｃ）及び図３９（ｄ）で、ωはｅｊ（π／３）であり、図３９（ｃ）の場合には、各ＤＲＳポートに対してＤＲＳ副搬送波間の位相オフセットはπ／３であり、図３９（ｄ）の場合には、各ＤＲＳポートに対してＤＲＳ副搬送波間の位相オフセットが−π／３である。
【０２０１】
図４０乃至図４２は、本発明の実施例によって、ＤＲＳ副搬送波に従ってレイヤー別に位相オフセットが適用される時のメリットを説明するための図である。
【０２０２】
図４０は、ＣＤＭグループ間にＯＣＣオフセットを適用せずに、レイヤー別位相オフセットを適用した場合、一サブフレーム内の２個のＲＢ区間でアンテナ＃０に分配されたＤＲＳ信号を示す図である。図４０で、各レイヤーには、図３９で例示されたＤＲＳ副搬送波に従う位相オフセットが用いられ、プリコーディング行列は、図３４に例示されたプリコーディング行列と同じ行列が用いられた。
【０２０３】
図４１を参照すると、レイヤー別にＤＲＳ副搬送波に従って位相オフセットを適用すると、２個のＲＢ区間にわたってはＯＦＤＭシンボルにわたって均一な電力分布を獲得することができる。ただし、本実施例によれば、ＤＲＳ副搬送波に従って位相オフセットが変動しなければならない他、レイヤー別にも異なるオフセットを適用しなければならず、複数のレイヤーを多重化する過程が複雑になるという不具合がある。すなわち、本実施例は、ＣＤＭグループ間のＯＣＣオフセットを用いた電力均衡化に関する実施例に比べて、送信装置及び受信装置の両方においてより高い性能を持つプロセッサー４００ａ，４００ｂが要求される。
【０２０４】
一方、図４１からわかるように、偶数個のＲＢ区間にわたってはＯＦＤＭシンボルにわたって均一な電力分布を獲得できる。しかし、奇数個のＲＢ区間にわたっては、図４２からわかるように、電力不均衡が依然として存在する。奇数個のＲＢに対しては、位相オフセットだけでは完壁な電力均衡を得ることはできない。
【０２０５】
図４３は、本発明の実施例によって、２個のＣＤＭグループが所定のＯＣＣオフセットを持つようにＯＣＣが割り当てられ、ＤＲＳ副搬送波に従ってレイヤー別に位相オフセットが適用される時におけるメリットを説明するための図である。
【０２０６】
図４３からわかるように、ＯＣＣオフセットと位相オフセットを共に適用すると、奇数個のＲＢに対しても、より均一な電力分布を得ることができる。
【０２０７】
本発明のＢＳは、以上の実施例のいずれか一つによって割り当てられたＯＣＣに基づいて、各レイヤーのＤＲＳを該当の拡散ＯＣＣで拡散することができる。ＢＳは、拡散されたＤＲＳを所定のプリコーディング行列を用いてプリコーディングすることで、アンテナ特定シンボルとして出力する。例えば、図３３を参照すると、ＢＳは、レイヤー０〜レイヤー８の一部または全部を該当のウォルシュコードで拡散し、プリコーディング行列Ｗでプリコーディングすることで、伝送アンテナ＃０〜アンテナ＃７の一部または全部に分配することができる。該分配された信号は、ＯＦＤＭ信号に変換されて、該ＢＳのカバレッジ内のＵＥに伝送される。
【０２０８】
本発明に係るＢＳプロセッサー４００ｂは、所定サブフレームに一つ以上のレイヤーを割り当てることができる。この場合、ＢＳプロセッサー４００ｂは、各レイヤーの復調のためのＤＲＳをこの所定サブフレームに割り当てることができる。ＢＳ送信器１００ｂは、ＢＳプロセッサー４００ｂの制御下に、割り当てられたレイヤーを該当のＤＲＳと一緒に伝送する。
【０２０９】
本発明に係るＢＳプロセッサー４００ｂは、以上の実施例のいすれか一つによってＤＲＳを一つ以上のＣＤＭグループを通じて伝送するように、ＢＳ送信器１００ｂを制御することができる。このために、本発明に係るＢＳプロセッサー４００ｂは、以上の実施例のいずれか一つによって拡散ＯＣＣを各レイヤーに割り当てるように構成されることができる。ＢＳプロセッサー４００ｂは、共に伝送する（複数の）レイヤーの該当の（複数の）ＤＲＳを対応する拡散ＯＣＣで拡散し、該拡散されたＤＲＳを該当のＣＤＭグループに割り当てるようにＢＳ送信器１００ｂを制御する。ＢＳ送信器１００ｂは、ＢＳプロセッサー４００ｂの制御の下に、拡散されたＤＲＳを該当のＣＤＭグループを通じて伝送することができる。リソース要素マッパー３０５は、ＢＳプロセッサー４００ｂの制御の下に、拡散されたＤＲＳシーケンスの各部分を該当のＣＤＭグループ内のＤＲＳ  ＲＥにマッピングする。
【０２１０】
すなわち、本発明に係るＢＳプロセッサー４００ｂは、以上の実施例のいずれか一つによって多重化ＯＣＣを一つ以上のＣＤＭグループに割り当てることができる。ＢＳ送信器４００ｂは、ＢＳプロセッサー４００ｂの制御下に、複数のＤＲＳを一つ以上のＣＤＭグループに多重化することができる。一ＤＲＳ  ＲＥに複数のＤＲＳを多重化する際に、ＢＳプロセッサー４００ｂは、ＤＲＳ  ＲＥに割り当てられた多重化ＯＣＣを用いて複数のＤＲＳを多重化する。ＢＳ送信器４００ｂは、ＤＲＳ  ＲＥを通じて多重化されたＤＲＳを伝送する。
【０２１１】
ＢＳプロセッサー４００ｂの制御下に、ＢＳ送信器１００ｂは、各レイヤーのＤＲＳを拡散する一方で、拡散されたＤＲＳの各要素をＤＲＳ  ＲＥに一つずつマッピングし、該拡散されたＤＲＳを該当の（複数の）ＤＲＳ  ＲＥで伝送することができる。リソース要素マッパー３０５により一サブフレームにマッピングされた（複数の）レイヤー及び該当の（複数の）ＤＲＳは、ＯＦＤＭ／ＳＣ−ＦＤＭ信号生成器３０６によってＯＦＤＭ信号に変換されて、ＢＳのカバレッジ内の（複数の）ＵＥに伝送される。
【０２１２】
ＵＥは、ＢＳからＯＦＤＭ信号を受信し、該ＯＦＤＭ信号をアンテナ特定シンボルに復元する。ＵＥは、復元されたアンテナ特定シンボルを、ＢＳで用いられたプリコーディング行列Ｗを用いて一つ以上のレイヤー信号に復元する。このプリコーディング行列Ｗは、ＵＥとＢＳ間にあらかじめ定められたものであっても良く、ＵＥまたはＢＳが適切なＷを選定して、ＢＳまたはＵＥにシグナリングすることで定められるものであっても良い。
【０２１３】
ＵＥは、復元されたレイヤー信号から、該ＵＥのためのレイヤー及び／またはＤＲＳを検出することができる。例えば、図３３を参照すると、ＵＥは、受信したＯＦＤＭ信号をアンテナ特定シンボルに復元することによって、図３３（ｂ）のように、所定ＤＲＳ  ＲＥ別信号に復元することができる。ＵＥは、復元された信号をプリコーディング行列Ｗを用いて一つ以上のレイヤー信号に復元する。ＢＳが多数のレイヤーを伝送した場合、ＤＲＳ  ＲＥには多数のＤＲＳが多重化された形態で存在する。ＵＥは、該多重化された信号に、ＵＥに対するレイヤーの拡散に用いられた拡散ＯＣＣを乗じることで、該当のレイヤー信号の整数倍に該当する値を得ることができる。
【０２１４】
例えば、図３３（ａ）を参照すると、ＣＤＭグループ１（ＣＤＭ＃１）の一ＤＲＳ副搬送波で、レイヤー０、レイヤー１、レイヤー４及びレイヤー６の拡散ＤＲＳを、４個のＤＲＳ  ＯＦＤＭシンボルにわたって受信したとする。ＤＲＳｉをレイヤーｉのための参照信号と想定すると、ＵＥがＣＤＭグループ１の一ＤＲＳ副搬送波を通じて４個のＤＲＳ  ＯＦＤＭシンボルにわたって受信した信号は、（ＤＲＳ  ０）×［＋１  ＋１  ＋１  ＋１］＋（ＤＲＳ  １）×［＋１  −１  ＋１  −１］＋（ＤＲＳ  ４）×［＋１  ＋１  −１  −１］＋（ＤＲＳ  ６）×［＋１  −１  −１  ＋１］と関連した信号になる。ＵＥに伝送されたレイヤーがレイヤー１であれば、該ＵＥは、レイヤー１に用いられた拡散ＯＣＣである［＋１  −１  ＋１  −１］Ｔを当該信号に乗じてＤＲＳ１を抽出することができる。ＵＥは、自身のためのレイヤー別ＤＲＳを用いて該当のレイヤーを復調することができる。
【０２１５】
本発明に係るＵＥ受信器３００ａは、ＢＳから一つ以上のレイヤーを受信することができる。また、ＵＥ受信器３００ａは、以上の本発明の実施例のいずれか一つによって一つ以上のＣＤＭグループに多重化されてＵＥに伝送される一つ以上のＤＲＳを、ＢＳから受信することができる。ＵＥプロセッサー４００ａは、ＵＥが受信したＯＦＤＭ信号を基底帯域信号に復元するようにＵＥ受信器３００ａを制御する。ＵＥプロセッサー４００ａの制御の下に、ＵＥ受信器３００ａは、リソース要素から当該基底帯域信号をデマッピングしてアンテナ特定シンボルを生成する。ＵＥプロセッサー４００ａの制御の下に、ＵＥ受信器３００ａは、ＢＳでプリコーディングに用いられたプリコーディング行列を用いて、アンテナ特定シンボルを、ＢＳが伝送した一つ以上のレイヤーに復元する。この一つ以上のレイヤーのうち、当該ＵＥのために伝送されたレイヤーを復調するために、ＵＥプロセッサー４００ａの制御下に、ＵＥ受信器３００ａは、当該レイヤーに対応する拡散ＯＣＣを用いてこのレイヤーのＤＲＳを検出する。この時、レイヤーの検出に用いられる拡散ＯＣＣは、前述した本発明の一実施例によって定められる。ＵＥプロセッサー４００ａは、検出されたＤＲＳを用いてレイヤーを復調するようにＵＥ受信器３００ａを制御することができる。
【０２１６】
前述の実施例では、長さ４のＯＣＣを２個のＣＤＭグループに多重化する方法を例にして本発明を説明してきたが、本発明の実施例は、その他の長さのＯＣＣをその他の個数のＣＤＭグループに多重化する場合にも同様に適用することができる。例えば、４よりも長いＯＣＣを１個または２個のＣＤＭグループに多重化する場合、または、４よりも長いＯＣＣを３個以上のＣＤＭグループに多重化する場合にも、本発明の実施例を適用することによって、ＯＦＤＭシンボル間の電力均衡化を図ることができる。
【０２１７】
以上の本発明の好適な実施例についての詳細な説明は、当業者が本発明を具現し実施できるように提供された。以上では好適な実施例を挙げて本発明を説明してきたが、該当技術の分野における熟練した当業者には、添付した特許請求の範囲に記載された本発明の思想及び領域を逸脱しない範囲内で、本発明の様々な修正及び変更が可能であるということが理解できる。したがって、本発明は、ここに開示された実施形態に制限されるものではなく、ここに開示された原理及び新規の特徴と一致する最も広い範囲を付与するためのものである。
【０２１８】
本発明の実施例は、無線通信システムにおいて基地局、ユーザー機器またはその他の装備に用いられることができる。
【符号の説明】
【０２１９】
１００ａ，１００ｂ    送信器
２００ａ，２００ｂ    メモリー
３００ａ，３００ｂ    受信器
４００ａ，４００ｂ    プロセッサー
５００ａ，５００ｂ    アンテナ
３０１    スクランブラ
３０２    変調マッパー
３０３    レイヤーマッパー
３０４    プリコーダ
３０５    リソース要素マッパー
３０６    ＯＦＤＭ／ＳＣ−ＦＤＭ信号生成器
【図１】
2011193467.tif 000072
【図２】
2011193467.tif 000073
【図３】
2011193467.tif 000074
【図４】
2011193467.tif 000075
【図５】
2011193467.tif 000076
【図６】
2011193467.tif 000077
【図７】
2011193467.tif 000078
【図８】
2011193467.tif 000079
【図９】
2011193467.tif 000080
【図１０】
2011193467.tif 000081
【図１１】
2011193467.tif 000082
【図１２】
2011193467.tif 000083
【図１３】
2011193467.tif 000084
【図１４】
2011193467.tif 000085
【図１５】
2011193467.tif 000086
【図１６】
2011193467.tif 000087
【図１７】
2011193467.tif 000088
【図１８】
2011193467.tif 000089
【図１９】
2011193467.tif 000090
【図２０】
2011193467.tif 000091
【図２１】
2011193467.tif 000092
【図２２】
2011193467.tif 000093
【図２３】
2011193467.tif 000094
【図２４】
2011193467.tif 000095
【図２５】
2011193467.tif 000096
【図２６】
2011193467.tif 000097
【図２７】
2011193467.tif 000098
【図２８】
2011193467.tif 000099
【図２９】
2011193467.tif 000100
【図３０】
2011193467.tif 000101
【図３１】
2011193467.tif 000102
【図３２】
2011193467.tif 000103
【図３３】
2011193467.tif 000104
【図３４】
2011193467.tif 000105
【図３５】
2011193467.tif 000106
【図３６】
2011193467.tif 000107
【図３７】
2011193467.tif 000108
【図３８】
2011193467.tif 000109
【図３９】
2011193467.tif 000110
【図４０】
2011193467.tif 000111
【図４１】
2011193467.tif 000112
【図４２】
2011193467.tif 000113
【図４３】
2011193467.tif 000114